(57)【要約】【課題】生化学解析用ユニットに、どのような特異的結合物質を含む溶液が、どのようなパターンで、滴下されたかに関する所望のＩＤデータを、生化学解析用ユニットに確実に付与することができ、ＩＤデータと生成された生化学解析用データとを容易に照合することができる生化学解析用ユニットへのＩＤデータの付与方法を提供する。【解決手段】特異的結合物質を含む溶液を、生化学解析用ユニット１に滴下するスポッティング装置を用いて、どのような特異的結合物質を含む溶液が、どのようなパターンで、滴下されたかに関するＩＤデータを、生化学解析用ユニットのＩＤデータ記録用の吸着性領域７に記録し、生化学解析用ユニットに付与することを特徴とする生化学解析用ユニットへのＩＤデータの付与方法。【選択図】      図１
2004170132.tif 000002
【特許請求の範囲】
【請求項１】
特異的結合物質を含む溶液を、生化学解析用ユニットに滴下するスポッティング装置を用いて、どのような特異的結合物質を含む溶液が、どのようなパターンで、滴下されたかに関するＩＤデータを、前記生化学解析用ユニットに付与することを特徴とする生化学解析用ユニットへのＩＤデータの付与方法。
【請求項２】
前記特異的結合物質に特異的に結合させるべき生体由来の物質を標識する標識物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与することを特徴とする請求項１に記載の生化学解析用ユニットへのＩＤデータの付与方法。
【請求項３】
前記特異的結合物質に特異的に結合させるべき生体由来の物質を標識する蛍光物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与することを特徴とする請求項２に記載の生化学解析用ユニットへのＩＤデータの付与方法。
【請求項４】
前記特異的結合物質に特異的に結合させるべき生体由来の物質を標識する化学発光基質と接触させることによって化学発光を生じさせる標識物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与することを特徴とする請求項２に記載の生化学解析用ユニットへのＩＤデータの付与方法。
【請求項５】
前記特異的結合物質に特異的に結合させるべき生体由来の物質を標識する放射性標識物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与することを特徴とする請求項２に記載の生化学解析用ユニットへのＩＤデータの付与方法。
【請求項６】
すべての生体由来の物質と特異的に結合するＩＤデータ付与用の特異的結合物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与することを特徴とする請求項１に記載の生化学解析用ユニットへのＩＤデータの付与方法。
【請求項７】
前記生化学解析用ユニットが、複数の貫通孔が、互いに離間して、形成された基板を備え、前記基板に形成された前記複数の貫通孔内に、吸着性材料が充填されて、複数の吸着性領域が形成されていることを特徴とする請求項１ないし６のいずれか１項に記載の生化学解析用ユニットへのＩＤデータの付与方法。
【請求項８】
前記生化学解析用ユニットの前記複数の吸着性領域が、前記基板に、互いに離間して形成された前記複数の貫通孔内に、吸着性材料を含む吸着性膜が圧入されて、形成されていることを特徴とする請求項７に記載の生化学解析用ユニットへのＩＤデータの付与方法。
【発明の詳細な説明】
【０００１】
【発明の属する技術分野】
本発明は、生化学解析用ユニットへのＩＤデータの付与方法に関するものであり、さらに詳細には、生化学解析用ユニットに、どのような特異的結合物質を含む溶液が、どのようなパターンで、滴下されたかに関する所望のＩＤデータを、生化学解析用ユニットに確実に付与することができ、ＩＤデータと生成された生化学解析用データとを容易に照合することができる生化学解析用ユニットへのＩＤデータの付与方法に関するものである。
【０００２】
【従来の技術】
放射線が照射されると、放射線のエネルギーを吸収して、蓄積、記録し、その後に、特定の波長域の電磁波を用いて励起すると、照射された放射線のエネルギーの量に応じた光量の輝尽光を発する特性を有する輝尽性蛍光体を、放射線の検出材料として用い、放射性標識を付与した物質を、生物体に投与した後、その生物体あるいはその生物体の組織の一部を試料とし、この試料を、輝尽性蛍光体層が設けられた蓄積性蛍光体シートと一定時間重ね合わせることにより、放射線エネルギーを輝尽性蛍光体に、蓄積、記録し、しかる後に、電磁波によって、輝尽性蛍光体層を走査して、輝尽性蛍光体を励起し、輝尽性蛍光体から放出された輝尽光を光電的に検出して、ディジタル画像信号を生成し、画像処理を施して、ＣＲＴなどの表示手段上あるいは写真フイルムなどの記録材料上に、画像を再生するように構成されたオートラジオグラフィ解析システムが知られている（たとえば、特公平１−７０８８４号公報、特公平１−７０８８２号公報、特公平４−３９６２号公報など）。
【０００３】
蓄積性蛍光体シートを放射線の検出材料として使用するオートラジオグラフィ解析システムは、写真フイルムを用いる場合とは異なり、現像処理という化学的処理が不必要であるだけでなく、得られたディジタルデータにデータ処理を施すことにより、所望のように、解析用データを再生し、あるいは、コンピュータによる定量解析が可能になるという利点を有している。
【０００４】
他方、オートラジオグラフィ解析システムにおける放射性標識物質に代えて、蛍光色素などの蛍光物質を標識物質として使用した蛍光（ｆｌｕｏｒｅｓｃｅｎｃｅ）解析システムが知られている。この蛍光解析システムによれば、蛍光物質から放出された蛍光を検出することによって、遺伝子配列、遺伝子の発現レベル、実験用マウスにおける投与物質の代謝、吸収、排泄の経路、状態、蛋白質の分離、同定、あるいは、分子量、特性の評価などをおこなうことができ、たとえば、電気泳動されるべき複数種の蛋白質分子を含む溶液を、ゲル支持体上で、電気泳動させた後に、ゲル支持体を蛍光色素を含んだ溶液に浸すなどして、電気泳動された蛋白質を染色し、励起光によって、蛍光色素を励起して、生じた蛍光を検出することによって、画像を生成し、ゲル支持体上の蛋白質分子の位置および量的分布を検出したりすることができる。あるいは、ウェスタン・ブロッティング法により、ニトロセルロースなどの転写支持体上に、電気泳動された蛋白質分子の少なくとも一部を転写し、目的とする蛋白質に特異的に反応する抗体を蛍光色素で標識して調製したプローブと蛋白質分子とを会合させ、特異的に反応する抗体にのみ結合する蛋白質分子を選択的に標識し、励起光によって、蛍光色素を励起して、生じた蛍光を検出することにより、画像を生成し、転写支持体上の蛋白質分子の位置および量的分布を検出したりすることができる。また、電気泳動させるべき複数のＤＮＡ断片を含む溶液中に、蛍光色素を加えた後に、複数のＤＮＡ断片をゲル支持体上で電気泳動させ、あるいは、蛍光色素を含有させたゲル支持体上で、複数のＤＮＡ断片を電気泳動させ、あるいは、複数のＤＮＡ断片を、ゲル支持体上で、電気泳動させた後に、ゲル支持体を、蛍光色素を含んだ溶液に浸すなどして、電気泳動されたＤＮＡ断片を標識し、励起光により、蛍光色素を励起して、生じた蛍光を検出することにより、画像を生成し、ゲル支持体上のＤＮＡを分布を検出したり、あるいは、複数のＤＮＡ断片を、ゲル支持体上で、電気泳動させた後に、ＤＮＡを変性（ｄｅｎａｔｕｒａｔｉｏｎ）し、次いで、サザン・ブロッティング法により、ニトロセルロースなどの転写支持体上に、変性ＤＮＡ断片の少なくとも一部を転写し、目的とするＤＮＡと相補的なＤＮＡもしくはＲＮＡを蛍光色素で標識して調製したプローブと変性ＤＮＡ断片とをハイブリダイズさせ、プローブＤＮＡもしくはプローブＲＮＡと相補的なＤＮＡ断片のみを選択的に標識し、励起光によって、蛍光色素を励起して、生じた蛍光を検出することにより、画像を生成し、転写支持体上の目的とするＤＮＡの分布を検出したりすることができる。さらに、標識物質によって標識した目的とする遺伝子を含むＤＮＡと相補的なＤＮＡプローブを調製して、転写支持体上のＤＮＡとハイブリダイズさせ、酵素を、標識物質により標識された相補的なＤＮＡと結合させた後、蛍光基質と接触させて、蛍光基質を蛍光を発する蛍光物質に変化させ、励起光によって、生成された蛍光物質を励起して、生じた蛍光を検出することにより、画像を生成し、転写支持体上の目的とするＤＮＡの分布を検出したりすることもできる。この蛍光解析システムは、放射性物質を使用することなく、簡易に、遺伝子配列などを検出することができるという利点がある。
【０００５】
また、同様に、蛋白質や核酸などの生体由来の物質を支持体に固定し、化学発光基質と接触させることによって化学発光を生じさせる標識物質により、選択的に標識し、標識物質によって選択的に標識された生体由来の物質と化学発光基質とを接触させて、化学発光基質と標識物質との接触によって生ずる可視光波長域の化学発光を、光電的に検出して、ディジタル画像信号を生成し、画像処理を施して、ＣＲＴなどの表示手段あるいは写真フィルムなどの記録材料上に、化学発光画像を再生して、遺伝子情報などの生体由来の物質に関する情報を得るようにした化学発光解析システムも知られている。
【０００６】
さらに、近年、スライドガラス板やメンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、蛍光物質、色素などの標識物質によって標識された物質を、ハイブリダイゼーションなどによって、特異的結合物質に、特異的に結合させたマイクロアレイに、励起光を照射して、蛍光物質、色素などの標識物質から発せられた蛍光などの光を光電的に検出して、生体由来の物質を解析するマイクロアレイ解析システムが開発されている。このマイクロアレイ解析システムによれば、スライドガラス板やメンブレンフィルタなどの担体表面上の異なる位置に、数多くの特異的結合物質のスポットを高密度に形成して、標識物質によって標識された生体由来の物質をハイブリダイズさせることによって、短時間に、生体由来の物質を解析することが可能になるという利点がある。
【０００７】
また、メンブレンフィルタなどの担体表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポットを形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、放射性標識物質によって標識された物質を、ハイブリダイゼーションなどによって、特異的結合物質に、特異的に結合させたマクロアレイを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成し、生体由来の物質を解析する放射性標識物質を用いたマクロアレイ解析システムも開発されている。
【０００８】
【特許文献１】
特公平１−７０８８４号公報
【特許文献２】
特公平１−７０８８２号公報
【特許文献３】
特公平４−３９６２号公報
【発明が解決しようとする課題】
これらのシステムにおいては、いずれも、メンブレンフィルタなどの生化学解析用ユニットの表面上の異なる位置に、細胞、ウィルス、ホルモン類、腫瘍マーカー、酵素、抗体、抗原、アブザイム、その他のタンパク質、核酸、ｃＤＮＡ、ＤＮＡ、ＲＮＡなど、生体由来の物質と特異的に結合可能で、かつ、塩基配列や塩基の長さ、組成などが既知の特異的結合物質を、スポッター装置を用いて、滴下して、多数の独立したスポット状領域を形成し、次いで、細胞、ウィルス、ホルモン類、腫瘍マーカー、酵素、抗体、抗原、アブザイム、その他のタンパク質、核酸、ｃＤＮＡ、ＤＮＡ、ｍＲＮＡなど、抽出、単離などによって、生体から採取され、あるいは、さらに、化学的処理、化学修飾などの処理が施された生体由来の物質であって、蛍光物質、化学発光基質と接触させることによって化学発光を生じさせる標識物質、放射性標識物質などによって標識された物質を、ハイブリダイゼーションなどによって、特異的結合物質に、特異的に結合させ、生化学解析用ユニットに、励起光を照射して、生化学解析用ユニットから放出される蛍光を光電的に検出して、生化学解析用データを生成し、あるいは、生化学解析用ユニットを化学発光基質と接触させ、生化学解析用ユニットから放出される化学発光を光電的に検出して、生化学解析用データを生成し、あるいは、生化学解析用ユニットを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成するように構成されているが、生成された生化学解析用データが、スポッター装置を用いて、生化学解析用ユニットに、どのような特異的結合物質を含む溶液が、どのようなパターンで、滴下された結果、得られたデータであるかがわからないと、所望のように、生成された生化学解析用データを解析することができない。
【０００９】
そこで、従来は、スポッター装置を用いて、生化学解析用ユニットに、どのような特異的結合物質を含む溶液が、どのようなパターンで、滴下されたかに関するＩＤデータを表わすバーコードを、生化学解析用ユニットに貼付するなどして、生化学解析用ユニットに、ＩＤデータを付与し、生化学解析用データの生成前、あるいは、生化学解析用データの生成後に、バーコードリーダーによって、生化学解析用ユニットに付与されたバーコードを読み取り、得られたＩＤデータに基づいて、生成された生化学解析用データを解析していた。
【００１０】
しかしながら、このように、生化学解析用ユニットに、どのような特異的結合物質を含む溶液が、どのようなパターンで、滴下されたかに関するＩＤデータを表わすバーコードを生成し、生化学解析用ユニットに貼付するなどして、生化学解析用ユニットに、ＩＤデータを付与し、生化学解析用データの生成前、あるいは、生化学解析用データの生成後に、バーコードリーダーによって、生化学解析用ユニットに付与されたバーコードを読み取り、得られたＩＤデータに基づいて、生成された生化学解析用データを解析する場合には、生化学解析用ユニットにどのような特異的結合物質を含む溶液が、どのようなパターンで、滴下されたかに関する正しいＩＤデータが、つねに、生化学解析用ユニットに付与されるということは保証されておらず、誤ったＩＤデータが、生化学解析用ユニットに付与された場合には、生成された生化学解析用データに基づいて、誤った診断をする結果を招くだけでなく、生化学解析用データの生成前、あるいは、生化学解析用データの生成後に、バーコードリーダーを用いて、生化学解析用ユニットに付与されたバーコードを読み取る必要があるから、生化学解析用ユニットのＩＤデータと、生成された生化学解析用データとの照合が面倒であるという問題があった。
【００１１】
したがって、本発明は、生化学解析用ユニットに、どのような特異的結合物質を含む溶液が、どのようなパターンで、滴下されたかに関する所望のＩＤデータを、生化学解析用ユニットに確実に付与することができ、ＩＤデータと生成された生化学解析用データとを容易に照合することができる生化学解析用ユニットへのＩＤデータの付与方法を提供することを目的とするものである。
【００１２】
【課題を解決するための手段】
本発明のかかる目的は、特異的結合物質を含む溶液を、生化学解析用ユニットに滴下するスポッティング装置を用いて、どのような特異的結合物質を含む溶液が、どのようなパターンで、滴下されたかに関するＩＤデータを、前記生化学解析用ユニットに付与することを特徴とする生化学解析用ユニットへのＩＤデータの付与方法によって達成される。
【００１３】
本発明によれば、特異的結合物質を含む溶液を、生化学解析用ユニットに滴下するスポッティング装置を用いて、どのような特異的結合物質を含む溶液が、どのようなパターンで、滴下されたかに関するＩＤデータを、生化学解析用ユニットに付与するように構成されているから、特異的結合物質に特異的に結合させるべき生体由来の物質を標識する蛍光物質を含む溶液を、特異的結合物質を含む溶液を生化学解析用ユニットに滴下するスポッティング装置を用いて、生化学解析用ユニットに滴下することによって、つねに、誤りなく、どのような特異的結合物質を含む溶液が、どのようなパターンで、滴下されたかに関するＩＤデータを生化学解析用ユニットに付与することができ、さらに、生化学解析用ユニットに、励起光を照射して、生化学解析用ユニットから放出される蛍光を光電的に検出して、生化学解析用データを生成する際に、同時に、ＩＤデータも読み取ることができるから、ＩＤデータと生成された生化学解析用データとを容易に照合することが可能になる。
【００１４】
また、本発明によれば、特異的結合物質を含む溶液を、生化学解析用ユニットに滴下するスポッティング装置を用いて、どのような特異的結合物質を含む溶液が、どのようなパターンで、滴下されたかに関するＩＤデータを、生化学解析用ユニットに付与するように構成されているから、特異的結合物質に特異的に結合させるべき生体由来の物質を標識する化学発光基質と接触させることによって化学発光を生じさせる標識物質を含む溶液を、特異的結合物質を含む溶液を生化学解析用ユニットに滴下するスポッティング装置を用いて、生化学解析用ユニットに滴下することによって、つねに、誤りなく、どのような特異的結合物質を含む溶液が、どのようなパターンで、滴下されたかに関するＩＤデータを生化学解析用ユニットに付与することができ、さらに、生化学解析用ユニットを化学発光基質と接触させ、生化学解析用ユニットから放出される化学発光を光電的に検出して、生化学解析用データを生成する際に、同時に、ＩＤデータも読み取ることができるから、ＩＤデータと生成された生化学解析用データとを容易に照合することが可能になる。
【００１５】
さらに、本発明によれば、特異的結合物質を含む溶液を、生化学解析用ユニットに滴下するスポッティング装置を用いて、どのような特異的結合物質を含む溶液が、どのようなパターンで、滴下されたかに関するＩＤデータを、生化学解析用ユニットに付与するように構成されているから、特異的結合物質に特異的に結合させるべき生体由来の物質を標識する放射性標識物質を含む溶液を、特異的結合物質を含む溶液を生化学解析用ユニットに滴下するスポッティング装置を用いて、生化学解析用ユニットに滴下することによって、つねに、誤りなく、どのような特異的結合物質を含む溶液が、どのようなパターンで、滴下されたかに関するＩＤデータを生化学解析用ユニットに付与することができ、さらに、生化学解析用ユニットを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成する際に、同時に、ＩＤデータも読み取ることができるから、ＩＤデータと生成された生化学解析用データとを容易に照合することが可能になる。
【００１６】
また、本発明によれば、特異的結合物質を含む溶液を、生化学解析用ユニットに滴下するスポッティング装置を用いて、どのような特異的結合物質を含む溶液が、どのようなパターンで、滴下されたかに関するＩＤデータを、生化学解析用ユニットに付与するように構成されているから、すべての生体由来の物質と特異的に結合するＩＤデータ付与用の特異的結合物質を含む溶液を、特異的結合物質を含む溶液を生化学解析用ユニットに滴下するスポッティング装置を用いて、生化学解析用ユニットに滴下することによって、つねに、誤りなく、どのような特異的結合物質を含む溶液が、どのようなパターンで、滴下されたかに関するＩＤデータを生化学解析用ユニットに付与することができ、さらに、ＩＤデータ付与用の特異的結合物質は、すべての生体由来の物質と特異的に結合するから、特異的結合物質に特異的に結合させるべき生体由来の物質が、蛍光物質によって標識されているか、化学発光基質と接触させることによって化学発光を生じさせる標識物質によって標識されているか、放射性標識物質によって標識されているかを問わず、生化学解析用データを生成する際に、同時に、ＩＤデータも読み取ることができるから、ＩＤデータと生成された生化学解析用データとを容易に照合することが可能になる。
【００１７】
本発明の好ましい実施態様においては、前記特異的結合物質に特異的に結合させるべき生体由来の物質を標識する標識物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与するように構成されている。
【００１８】
本発明の好ましい実施態様によれば、特異的結合物質に特異的に結合させるべき生体由来の物質を標識する標識物質を含む溶液を、スポッティング装置を用いて、生化学解析用ユニットに滴下して、どのような特異的結合物質を含む溶液が、どのようなパターンで、滴下されたかに関するＩＤデータを、生化学解析用ユニットに付与するように構成されているから、特異的結合物質に特異的に結合させるべき生体由来の物質を標識する蛍光物質を含む溶液を、スポッティング装置を用いて、生化学解析用ユニットに滴下することによって、つねに、誤りなく、どのような特異的結合物質を含む溶液が、どのようなパターンで、滴下されたかに関するＩＤデータを生化学解析用ユニットに付与することができ、さらに、生化学解析用ユニットに、励起光を照射して、生化学解析用ユニットから放出される蛍光を光電的に検出して、生化学解析用データを生成する際に、同時に、ＩＤデータも読み取ることができるから、ＩＤデータと生成された生化学解析用データとを容易に照合することが可能になる。
【００１９】
また、本発明の好ましい実施態様によれば、特異的結合物質に特異的に結合させるべき生体由来の物質を標識する標識物質を含む溶液を、スポッティング装置を用いて、生化学解析用ユニットに滴下して、どのような特異的結合物質を含む溶液が、どのようなパターンで、滴下されたかに関するＩＤデータを、生化学解析用ユニットに付与するように構成されているから、特異的結合物質に特異的に結合させるべき生体由来の物質を標識する化学発光基質と接触させることによって化学発光を生じさせる標識物質を含む溶液を、スポッティング装置を用いて、生化学解析用ユニットに滴下することによって、つねに、誤りなく、どのような特異的結合物質を含む溶液が、どのようなパターンで、滴下されたかに関するＩＤデータを生化学解析用ユニットに付与することができ、さらに、生化学解析用ユニットを化学発光基質と接触させ、生化学解析用ユニットから放出される化学発光を光電的に検出して、生化学解析用データを生成する際に、同時に、ＩＤデータも読み取ることができるから、ＩＤデータと生成された生化学解析用データとを容易に照合することが可能になる。
【００２０】
さらに、本発明の好ましい実施態様によれば、特異的結合物質に特異的に結合させるべき生体由来の物質を標識する標識物質を含む溶液を、スポッティング装置を用いて、生化学解析用ユニットに滴下して、どのような特異的結合物質を含む溶液が、どのようなパターンで、滴下されたかに関するＩＤデータを、生化学解析用ユニットに付与するように構成されているから、特異的結合物質に特異的に結合させるべき生体由来の物質を標識する放射性標識物質を含む溶液を、スポッティング装置を用いて、生化学解析用ユニットに滴下することによって、つねに、誤りなく、どのような特異的結合物質を含む溶液が、どのようなパターンで、滴下されたかに関するＩＤデータを生化学解析用ユニットに付与することができ、さらに、生化学解析用ユニットを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成する際に、同時に、ＩＤデータも読み取ることができるから、ＩＤデータと生成された生化学解析用データとを容易に照合することが可能になる。
【００２１】
本発明の好ましい実施態様においては、前記特異的結合物質に特異的に結合させるべき生体由来の物質を標識する蛍光物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与するように構成されている。
【００２２】
本発明の好ましい実施態様によれば、特異的結合物質に特異的に結合させるべき生体由来の物質を標識する蛍光物質を含む溶液を、スポッティング装置を用いて、生化学解析用ユニットに滴下して、どのような特異的結合物質を含む溶液が、どのようなパターンで、滴下されたかに関するＩＤデータを、生化学解析用ユニットに付与するように構成されているから、つねに、誤りなく、どのような特異的結合物質を含む溶液が、どのようなパターンで、滴下されたかに関するＩＤデータを生化学解析用ユニットに付与することができ、さらに、生化学解析用ユニットに、励起光を照射して、生化学解析用ユニットから放出される蛍光を光電的に検出して、生化学解析用データを生成する際に、同時に、ＩＤデータも読み取ることができるから、ＩＤデータと生成された生化学解析用データとを容易に照合することが可能になる。
【００２３】
本発明の別の好ましい実施態様においては、前記特異的結合物質に特異的に結合させるべき生体由来の物質を標識する化学発光基質と接触させることによって化学発光を生じさせる標識物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与するように構成されている。
【００２４】
本発明の別の好ましい実施態様によれば、特異的結合物質に特異的に結合させるべき生体由来の物質を標識する化学発光基質と接触させることによって化学発光を生じさせる標識物質を含む溶液を、スポッティング装置を用いて、生化学解析用ユニットに滴下して、どのような特異的結合物質を含む溶液が、どのようなパターンで、滴下されたかに関するＩＤデータを、生化学解析用ユニットに付与するように構成されているから、つねに、誤りなく、どのような特異的結合物質を含む溶液が、どのようなパターンで、滴下されたかに関するＩＤデータを生化学解析用ユニットに付与することができ、さらに、生化学解析用ユニットを化学発光基質と接触させ、生化学解析用ユニットから放出される化学発光を光電的に検出して、生化学解析用データを生成する際に、同時に、ＩＤデータも読み取ることができるから、ＩＤデータと生成された生化学解析用データとを容易に照合することが可能になる。
【００２５】
本発明のさらに別の好ましい実施態様においては、前記特異的結合物質に特異的に結合させるべき生体由来の物質を標識する放射性標識物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与するように構成されている。
【００２６】
本発明のさらに別の好ましい実施態様によれば、特異的結合物質に特異的に結合させるべき生体由来の物質を標識する放射性標識物質を含む溶液を、スポッティング装置を用いて、生化学解析用ユニットに滴下して、どのような特異的結合物質を含む溶液が、どのようなパターンで、滴下されたかに関するＩＤデータを、生化学解析用ユニットに付与するように構成されているから、つねに、誤りなく、どのような特異的結合物質を含む溶液が、どのようなパターンで、滴下されたかに関するＩＤデータを生化学解析用ユニットに付与することができ、さらに、生化学解析用ユニットを、輝尽性蛍光体を含む輝尽性蛍光体層が形成された蓄積性蛍光体シートと密着させて、輝尽性蛍光体層を露光し、しかる後に、輝尽性蛍光体層に励起光を照射し、輝尽性蛍光体層から発せられた輝尽光を光電的に検出して、生化学解析用データを生成する際に、同時に、ＩＤデータも読み取ることができるから、ＩＤデータと生成された生化学解析用データとを容易に照合することが可能になる。
【００２７】
本発明の好ましい実施態様においては、すべての生体由来の物質と特異的に結合するＩＤデータ付与用の特異的結合物質を含む溶液を、前記スポッティング装置を用いて、前記生化学解析用ユニットに滴下して、どのような特異的結合物質を含む溶液が、どのようなパターンで、滴下されたかに関するＩＤデータを、前記生化学解析用ユニットに付与するように構成されている。
【００２８】
本発明の好ましい実施態様によれば、すべての生体由来の物質と特異的に結合するＩＤデータ付与用の特異的結合物質を含む溶液を、スポッティング装置を用いて、生化学解析用ユニットに滴下して、どのような特異的結合物質を含む溶液が、どのようなパターンで、滴下されたかに関するＩＤデータを、生化学解析用ユニットに付与するように構成されているから、つねに、誤りなく、どのような特異的結合物質を含む溶液が、どのようなパターンで、滴下されたかに関するＩＤデータを生化学解析用ユニットに付与することができ、さらに、ＩＤデータ付与用の特異的結合物質は、すべての生体由来の物質と特異的に結合するから、特異的結合物質に特異的に結合させるべき生体由来の物質が、蛍光物質によって標識されているか、化学発光基質と接触させることによって化学発光を生じさせる標識物質によって標識されているか、放射性標識物質によって標識されているかを問わず、生化学解析用データを生成する際に、同時に、ＩＤデータも読み取ることができるから、ＩＤデータと生成された生化学解析用データとを容易に照合することが可能になる。
【００２９】
本発明の好ましい実施態様においては、前記生化学解析用ユニットが、複数の貫通孔が、互いに離間して、形成された基板を備え、前記基板に形成された前記複数の貫通孔内に、吸着性材料が充填されて、複数の吸着性領域が形成されている。
【００３０】
本発明のさらに好ましい実施態様においては、前記生化学解析用ユニットの前記複数の吸着性領域が、前記基板に、互いに離間して形成された前記複数の貫通孔内に、吸着性材料が埋め込まれて、形成されている。
【００３１】
本発明のさらに好ましい実施態様においては、前記生化学解析用ユニットの前記複数の吸着性領域が、前記基板に、互いに離間して形成された前記複数の貫通孔内に、吸着性材料を含む吸着性膜が圧入されて、形成されている。
【００３２】
本発明の別の好ましい実施態様においては、前記生化学解析用ユニットが、複数の凹部が、互いに離間して、形成された基板を備え、前記基板に形成された前記複数の凹部内に、吸着性材料が充填されて、複数の吸着性領域が形成されている。
【００３３】
本発明のさらに好ましい実施態様においては、前記生化学解析用ユニットの前記複数の吸着性領域が、前記基板に、互いに離間して形成された前記複数の凹部内に、吸着性材料が埋め込まれて、形成されている。
【００３４】
本発明の好ましい実施態様においては、前記生化学解析用ユニットの前記基板に、１０以上の吸着性領域が形成されている。
【００３５】
本発明のさらに好ましい実施態様においては、前記生化学解析用ユニットの前記基板に、５０以上の吸着性領域が形成されている。
【００３６】
本発明のさらに好ましい実施態様においては、前記生化学解析用ユニットの前記基板に、１００以上の吸着性領域が形成されている。
【００３７】
本発明のさらに好ましい実施態様においては、前記生化学解析用ユニットの前記基板に、５００以上の吸着性領域が形成されている。
【００３８】
本発明のさらに好ましい実施態様においては、前記生化学解析用ユニットの前記基板に、１０００以上の吸着性領域が形成されている。
【００３９】
本発明のさらに好ましい実施態様においては、前記生化学解析用ユニットの前記基板に、５０００以上の吸着性領域が形成されている。
【００４０】
本発明のさらに好ましい実施態様においては、前記生化学解析用ユニットの前記基板に、１００００以上の吸着性領域が形成されている。
【００４１】
本発明のさらに好ましい実施態様においては、前記生化学解析用ユニットの前記基板に、５００００以上の吸着性領域が形成されている。
【００４２】
本発明のさらに好ましい実施態様においては、前記生化学解析用ユニットの前記基板に、１０００００以上の吸着性領域が形成されている。
【００４３】
本発明の好ましい実施態様においては、前記生化学解析用ユニットの前記基板に、前記複数の吸着性領域が、それぞれ、５平方ミリメートル未満のサイズに形成されている。
【００４４】
本発明のさらに好ましい実施態様においては、前記生化学解析用ユニットの前記基板に、前記複数の吸着性領域が、それぞれ、１平方ミリメートル未満のサイズに形成されている。
【００４５】
本発明のさらに好ましい実施態様においては、前記生化学解析用ユニットの前記基板に、前記複数の吸着性領域が、それぞれ、０．５平方ミリメートル未満のサイズに形成されている。
【００４６】
本発明のさらに好ましい実施態様においては、前記生化学解析用ユニットの前記基板に、前記複数の吸着性領域が、それぞれ、０．１平方ミリメートル未満のサイズに形成されている。
【００４７】
本発明のさらに好ましい実施態様においては、前記生化学解析用ユニットの前記基板に、前記複数の吸着性領域が、それぞれ、０．０５平方ミリメートル未満のサイズに形成されている。
【００４８】
本発明のさらに好ましい実施態様においては、前記生化学解析用ユニットの前記基板に、前記複数の吸着性領域が、それぞれ、０．０１平方ミリメートル未満のサイズに形成されている。
【００４９】
本発明の好ましい実施態様においては、前記生化学解析用ユニットの前記基板に、前記複数の吸着性領域が、１０個／平方センチメートル以上の密度で、形成されている。
【００５０】
本発明のさらに好ましい実施態様においては、前記生化学解析用ユニットの前記基板に、前記複数の吸着性領域が、５０個／平方センチメートル以上の密度で、形成されている。
【００５１】
本発明のさらに好ましい実施態様においては、前記生化学解析用ユニットの前記基板に、前記複数の吸着性領域が、１００個／平方センチメートル以上の密度で、形成されている。
【００５２】
本発明のさらに好ましい実施態様においては、前記生化学解析用ユニットの前記基板に、前記複数の吸着性領域が、５００個／平方センチメートル以上の密度で、形成されている。
【００５３】
本発明のさらに好ましい実施態様においては、前記生化学解析用ユニットの前記基板に、前記複数の吸着性領域が、１０００個／平方センチメートル以上の密度で、形成されている。
【００５４】
本発明のさらに好ましい実施態様においては、前記生化学解析用ユニットの前記基板に、前記複数の吸着性領域が、５０００個／平方センチメートル以上の密度で、形成されている。
【００５５】
本発明のさらに好ましい実施態様においては、前記生化学解析用ユニットの前記基板に、前記複数の吸着性領域が、１００００個／平方センチメートル以上の密度で、形成されている。
【００５６】
本発明のさらに好ましい実施態様においては、前記生化学解析用ユニットの前記基板に、前記複数の吸着性領域が、５００００個／平方センチメートル以上の密度で、形成されている。
【００５７】
本発明のさらに好ましい実施態様においては、前記生化学解析用ユニットの前記基板に、前記複数の吸着性領域が、１０００００個／平方センチメートル以上の密度で、形成されている。
【００５８】
本発明の好ましい実施態様においては、前記生化学解析用ユニットの前記基板に、前記複数の吸着性領域が、規則的なパターンにより形成されている。
【００５９】
本発明の好ましい実施態様においては、前記生化学解析用ユニットの前記基板に、前記複数の吸着性領域が、それぞれ、略円形に形成されている。
【００６０】
本発明の別の好ましい実施態様においては、前記生化学解析用ユニットの前記基板に、前記複数の吸着性領域が、それぞれ、略矩形状に形成されている。
【００６１】
本発明の好ましい実施態様においては、前記生化学解析用ユニットの前記基板が、放射線エネルギーを減衰させる性質を有している。
【００６２】
本発明の好ましい実施態様によれば、生化学解析用ユニットの基板に、複数の吸着性領域を高密度に形成し、複数の吸着性領域に、生体由来の物質と特異的に結合可能で、かつ、塩基配列や塩基の長さ、組成などが既知の特異的結合物質を吸着させ、複数の吸着性領域に吸着された特異的結合物質に、放射性標識物質によって標識された生体由来の物質を、ハイブリダイズさせて、選択的に標識した場合においても、生化学解析用ユニットと輝尽性蛍光体層が形成された蓄積性蛍光体シートとを重ね合わせて、生化学解析用ユニットの複数の吸着性領域に選択的に含まれた放射性標識物質によって、蓄積性蛍光体シートに形成された輝尽性蛍光体層を露光する際に、各吸着性領域に含まれている放射性標識物質から放出された電子線（β線）が、生化学解析用ユニットの基板内で散乱することを効果的に防止することができるから、各吸着性領域に含まれている放射性標識物質から放出された電子線（β線）を、対向する輝尽性蛍光体層の領域に、選択的に入射させて、対向する輝尽性蛍光体層の領域のみを露光することが可能になり、したがって、放射性標識物質によって露光された輝尽性蛍光体層を励起光によって走査し、輝尽性蛍光体層から放出された輝尽光を光電的に検出することによって、高い分解能で、定量性に優れた生化学解析用のデータを生成することが可能になる。
【００６３】
本発明の好ましい実施態様においては、前記生化学解析用ユニットの前記基板が、隣り合う前記吸着性領域の間の距離に等しい距離だけ、放射線が前記基板中を透過したときに、放射線のエネルギーを、１／５以下に減衰させる性質を有している。
【００６４】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１０以下に減衰させる性質を有している。
【００６５】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／５０以下に減衰させる性質を有している。
【００６６】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１００以下に減衰させる性質を有している。
【００６７】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／５００以下に減衰させる性質を有している。
【００６８】
本発明のさらに好ましい実施態様においては、前記生化学解析用ユニットの前記基板が、隣り合う前記吸着性領域の間の距離に等しい距離だけ、放射線が前記基板中を透過したときに、放射線のエネルギーを、１／１０００以下に減衰させる性質を有している。
【００６９】
本発明の好ましい実施態様においては、前記生化学解析用ユニットの前記基板が、光エネルギーを減衰させる性質を有している。
【００７０】
本発明の好ましい実施態様によれば、生化学解析用ユニットの基板に、複数の吸着性領域を高密度に形成し、複数の吸着性領域に、生体由来の物質と特異的に結合可能で、かつ、塩基配列や塩基の長さ、組成などが既知の特異的結合物質を吸着させ、複数の吸着性領域に吸着されている特異的結合物質に、蛍光物質によって標識された生体由来の物質を、選択的にハイブリダイズさせて、複数の吸着性領域を蛍光物質によって標識し、生化学解析用ユニットの複数の吸着性領域に、励起光を照射して、複数の吸着性領域に選択的に含まれている蛍光物質を励起し、複数の吸着性領域から放出された蛍光を光電的に検出して、生化学解析用データを生成する場合においても、生化学解析用ユニットの基板が、光エネルギーを減衰させる性質を有しているから、生化学解析用ユニットの各吸着性領域から放出された蛍光が、基板内で散乱して、隣り合う吸着性領域から放出された蛍光と混ざり合うことを効果的に防止することが可能になり、したがって、蛍光を光電的に検出して、定量性に優れた生化学解析用データを生成することが可能になる。
【００７１】
また、本発明の好ましい実施態様によれば、生化学解析用ユニットの基板に、複数の吸着性領域を高密度に形成し、複数の吸着性領域に、生体由来の物質と特異的に結合可能で、かつ、塩基配列や塩基の長さ、組成などが既知の特異的結合物質を吸着させ、複数の吸着性領域に吸着されている特異的結合物質に、化学発光基質と接触させることによって化学発光を生じさせる標識物質によって標識された生体由来の物質を、選択的にハイブリダイズさせて、複数の吸着性領域を、化学発光基質と接触させることによって化学発光を生じさせる標識物質によって選択的に標識し、生化学解析用ユニットの複数の吸着性領域に、化学発光基質を接触させて、選択的に化学発光を放出させ、生化学解析用ユニットの複数の吸着性領域から選択的に放出される化学発光を光電的に検出して、生化学解析用データを生成する場合においても、生化学解析用ユニットの基板が、光エネルギーを減衰させる性質を有しているから、生化学解析用ユニットの複数の吸着性領域から放出される化学発光が、基板内で散乱して、隣り合う吸着性領域から放出された化学発光と混ざり合うことを効果的に防止することが可能になり、したがって、化学発光を光電的に検出して、定量性に優れた生化学解析用データを生成することが可能になる。
【００７２】
本発明の好ましい実施態様においては、前記生化学解析用ユニットの前記基板が、隣り合う前記吸着性領域の間の距離に等しい距離だけ、光が前記基板中を透過したときに、光のエネルギーを、１／５以下に減衰させる性質を有している。
【００７３】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１０以下に減衰させる性質を有している。
【００７４】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／５０以下に減衰させる性質を有している。
【００７５】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１００以下に減衰させる性質を有している。
【００７６】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／５００以下に減衰させる性質を有している。
【００７７】
本発明のさらに好ましい実施態様においては、前記生化学解析用ユニットの前記基板が、隣り合う前記吸着性領域の間の距離に等しい距離だけ、光が前記基板中を透過したときに、光のエネルギーを、１／１０００以下に減衰させる性質を有している。
【００７８】
本発明において、生化学解析用ユニットの基板を形成するための材料は、放射線エネルギーおよび／または光エネルギーを減衰させる性質を有していることが好ましいが、とくに限定されるものではなく、無機化合物材料、有機化合物材料のいずれをも使用することができ、金属材料、セラミック材料またはプラスチック材料が、好ましく使用される。
【００７９】
本発明において、生化学解析用ユニットの基板を形成するために好ましく使用することのできる無機化合物材料としては、たとえば、金、銀、銅、亜鉛、アルミニウム、チタン、タンタル、クロム、鉄、ニッケル、コバルト、鉛、錫、セレンなどの金属；真鍮、ステンレス、青銅などの合金；シリコン、アモルファスシリコン、ガラス、石英、炭化ケイ素、窒化ケイ素などの珪素材料；酸化アルミニウム、酸化マグネシウム、酸化ジルコニウムなどの金属酸化物；タングステンカーバイト、炭酸カルシウム、硫酸カルシウム、ヒドロキシアパタイト、砒化ガリウムなどの無機塩を挙げることができる。これらは、単結晶、アモルファス、セラミックのような多結晶焼結体にいずれの構造を有していてもよい。
【００８０】
本発明において、生化学解析用ユニットの基板を形成するために使用可能な有機化合物材料としては、高分子化合物が好ましく用いられ、好ましく使用することのできる高分子化合物としては、たとえば、ポリエチレンやポリプロピレンなどのポリオレフィン；ポリメチルメタクリレート、ブチルアクリレート／メチルメタクリレート共重合体などのアクリル樹脂；ポリアクリロニトリル；ポリ塩化ビニル；ポリ塩化ビニリデン；ポリフッ化ビニリデン；ポリテトラフルオロエチレン；ポリクロロトリフルオロエチレン；ポリカーボネート；ポリエチレンナフタレートやポリエチレンテレフタレートなどのポリエステル；ナイロン６、ナイロン６，６、ナイロン４，１０などのナイロン；ポリイミド；ポリスルホン；ポリフェニレンサルファイド；ポリジフェニルシロキサンなどのケイ素樹脂；ノボラックなどのフェノール樹脂；エポキシ樹脂；ポリウレタン；ポリスチレン；ブタジエン−スチレン共重合体；セルロース、酢酸セルロース、ニトロセルロース、でん粉、アルギン酸カルシウム、ヒドロキシプロピルメチルセルロースなどの多糖類；キチン；キトサン；ウルシ；ゼラチン、コラーゲン、ケラチンなどのポリアミドおよびこれら高分子化合物の共重合体などを挙げることができる。これらは、複合材料でもよく、必要に応じて、金属酸化物粒子やガラス繊維などを充填することもでき、また、有機化合物材料をブレンドして、使用することもできる。
【００８１】
一般に、比重が大きいほど、放射線の減衰能が高くなるので、生化学解析用ユニットの基板は、比重１．０ｇ／ｃｍ３以上の化合物材料または複合材料によって形成されることが好ましく、比重が１．５ｇ／ｃｍ３以上、２３ｇ／ｃｍ３以下の化合物材料または複合材料によって形成されることが、とくに好ましい。
【００８２】
また、一般に、光の散乱および／または吸収が大きいほど、光の減衰能が高くなるので、生化学解析用ユニットの基板は、厚さ１ｃｍあたりの吸光度が０．３以上であることが好ましく、厚さ１ｃｍあたりの吸光度が１以上であれば、さらに好ましい。ここに、吸光度は、厚さＴｃｍの板状体の直後に、積分球を置き、計測に利用するプローブ光またはエミッション光の波長における透過光量Ａを分光光度計によって測定し、Ａ／Ｔを算出することによって、求められる。光減衰能を向上させるために、光散乱体や光吸収体を、生化学解析用ユニットの基板に含有させることもできる。光散乱体としては、生化学解析用ユニットの基板を形成している材料と異なる材料の微粒子が用いられ、光吸収体としては、顔料または染料が用いられる。
【００８３】
本発明の別の好ましい実施態様においては、生化学解析用ユニットが吸着性基板によって形成されている。
【００８４】
本発明において、生化学解析用ユニットの吸着性領域あるいは吸着性基板を形成するための吸着性材料としては、多孔質材料あるいは繊維材料が好ましく使用される。多孔質材料と繊維材料を併用して、生化学解析用ユニットの吸着性領域あるいは吸着性基板を形成することもできる。
【００８５】
本発明において、生化学解析用ユニットの吸着性領域あるいは吸着性基板を形成するために使用される多孔質材料は、有機材料、無機材料のいずれでもよく、有機／無機複合体でもよい。
【００８６】
本発明において、生化学解析用ユニットの吸着性領域あるいは吸着性基板を形成するために使用される有機多孔質材料は、とくに限定されるものではないが、活性炭などの炭素材料あるいはメンブレンフィルタを形成可能な材料が、好ましく用いられる。具体的には、ナイロン６、ナイロン６，６、ナイロン４，１０などのナイロン類；ニトロセルロース、酢酸セルロース、酪酸酢酸セルロースなどのセルロース誘導体；コラーゲン；アルギン酸、アルギン酸カルシウム、アルギン酸／ポリリシンポリイオンコンプレックスなどのアルギン酸類；ポリエチレン、ポリプロピレンなどのポリオレフィン類；ポリ塩化ビニル；ポリ塩化ビニリデン；ポリフッ化ビニリデン、ポリテトラフルオライドなどのポリフルオライドや、これらの共重合体または複合体が挙げられる。
【００８７】
本発明において、生化学解析用ユニットの吸着性領域あるいは吸着性基板を形成するために使用される無機多孔質材料は、とくに限定されるものではないが、好ましくは、たとえば、白金、金、鉄、銀、ニッケル、アルミニウムなどの金属；アルミナ、シリカ、チタニア、ゼオライトなどの金属酸化物；ヒドロキシアパタイト、硫酸カルシウムなどの金属塩やこれらの複合体などが挙げられる。
【００８８】
本発明において、生化学解析用ユニットの吸着性領域あるいは吸着性基板を形成するために使用される繊維材料は、とくに限定されるものではないが、好ましくは、たとえば、ナイロン６、ナイロン６，６、ナイロン４，１０などのナイロン類、ニトロセルロース、酢酸セルロース、酪酸酢酸セルロースなどのセルロース誘導体などが挙げられる。
【００８９】
本発明において、生化学解析用ユニットの吸着性領域は、電解処理、プラズマ処理、アーク放電などの酸化処理；シランカップリング剤、チタンカップリング剤などを用いたプライマー処理；界面活性剤処理などの表面処理によって形成することもできる。
【００９０】
【発明の実施の形態】
以下、添付図面に基づいて、本発明の好ましい実施態様につき、詳細に説明を加える。
【００９１】
図１は、生化学解析用ユニットの略斜視図である。
【００９２】
図１に示されるように、生化学解析用ユニット１は、ステンレス鋼によって形成され、多数の略円形の貫通孔３が高密度に形成された基板２を備え、多数の貫通孔３の内部には、ナイロン６が充填されて、互いに離間した多数の吸着性領域４が、ドット状に形成されている。
【００９３】
図１には正確に示されていないが、本実施態様においては、約０．０７平方ミリメートルのサイズを有する略円形の吸着性領域４が、１２０列×１６０行のマトリックス状に、規則的に形成されるように、基板２に、貫通孔３が形成されており、したがって、合計１９２００の吸着性領域４が形成されている。
【００９４】
図１に示されるように、生化学解析用ユニット１の基板２には、一方の側部に沿って、２つの円形の位置合わせ用貫通孔５、５が形成されている。
【００９５】
図１に示されるように、基板２の多数の吸着性領域４が形成されている領域の側方には、複数の貫通孔６が形成され、複数の貫通孔６に、ナイロン６が充填されて、複数のＩＤデータ記録用の吸着性領域７が形成されている。
【００９６】
本実施態様においては、複数のＩＤデータ記録用の吸着性領域７は、隣り合うラインの吸着性領域４と、吸着性領域４の隣り合うラインの距離の２倍だけ、離間した位置に、隣り合うＩＤデータ記録用の吸着性領域７の間の距離が、隣り合う吸着性領域４の間の距離と等しくなるように、形成されている。
【００９７】
ここに、ナイロン６は、その表面が、基板２の表面とほぼ一致するように、多数の貫通孔３および複数の貫通孔６内に、充填され、吸着性領域４およびＩＤデータ記録用の吸着性領域７が形成されている。
【００９８】
図２は、スポッティング装置の略平面図である。
【００９９】
図２に示されるように、スポッティング装置は、特異的結合物質を含む溶液を、生化学解析用ユニット１に向けて、噴射するインジェクタを備えたスポッティングヘッド９を備え、スポッティングヘッド９は、駆動機構により、図２において、矢印Ｘで示される主走査方向および矢印Ｙで示される副走査方向に移動可能に構成されている。
【０１００】
スポッティング装置の駆動機構は、特異的結合物質を含む溶液を滴下すべき生化学解析用ユニット１が載置される基板１０に固定されたフレーム１１に取り付けられている。
【０１０１】
図２に示されるように、フレーム１１上には、副走査パルスモータ１２と一対のレール１３、１３とが固定され、フレーム１１上には、さらに、一対のレール１３、１３に沿って、図２において、矢印Ｙで示された副走査方向に、移動可能な基板１４が設けられている。
【０１０２】
移動可能な基板１４には、ねじが切られた穴（図示せず）が形成されており、この穴内には、副走査パルスモータ１２によって回転されるねじが切られたロッド１５が係合している。
【０１０３】
移動可能な基板１４上には、主走査パルスモータ１６が設けられ、主走査パルスモータ１６は、エンドレスベルト１７を、所定のピッチで、間欠的に駆動可能に構成されている。
【０１０４】
スポッティング装置のスポッティングヘッド９は、エンドレスベルト１７に固定されており、主走査パルスモータ１６により、エンドレスベルト１７が駆動されると、図２において、矢印Ｘで示された主走査方向に移動されるように構成されている。
【０１０５】
図２において、１８は、スポッティングヘッド９の主走査方向における位置を検出するリニアエンコーダであり、１９は、リニアエンコーダ１８のスリットである。
【０１０６】
図２に示されるように、スポッティング装置の基板１０には、生化学解析用ユニット１の基板２に形成された２つの位置決め用貫通孔５、５に対応する位置に、２つの位置決めピン２０ａ、２０ｂが立設されており、スポッティング装置の基板１０に形成された２つの位置決めピン２０ａ、２０ｂが、対応する位置決め用貫通孔５、５内に挿通されるように、生化学解析用ユニット１を、スポッティング装置の基板１０上に載置することによって、つねに、生化学解析用ユニット１１が、スポッティング装置の基板１０上のほぼ同じ位置に載置されるように保証されている。
【０１０７】
図３は、スポッティング装置の制御系、入力系、駆動系および検出系を示すブロックダイアグラムである。
【０１０８】
図３に示されるように、スポッティング装置の制御系は、スポッティング装置全体の動作を制御するコントロールユニット３０を備え、スポッティング装置の入力系は、キーボード３１を備えている。
【０１０９】
また、スポッティング装置の駆動系は、主走査パルスモータ１６および副走査パルスモータ１２を備え、スポッティング装置の検出系は、スポッティングヘッド９の主走査方向における位置を検出するリニアエンコーダ１８と、ロッド１５の回転量を検出するロータリーエンコーダ１７を備えている。
【０１１０】
以上のように構成されたスポッティング装置によって、以下のようにして、本実施態様にかかる生化学解析用ユニット１の吸着性領域４に、ｃＤＮＡなどの特異的結合物質を含む溶液が滴下される。
【０１１１】
まず、スポッティング装置の基板１０に形成された２つの位置決めピン２０ａ、２０ｂが、それぞれ、生化学解析用ユニット１の対応する２つの位置決め用貫通孔５、５内に挿通されるように、生化学解析用ユニット１が、スポッティング装置の基板１０上に載置される。
【０１１２】
次いで、生化学解析用ユニット１の基板２に形成された多数の吸着性領域４の位置に関する滴下位置データ、各吸着性領域に吸着させるべき特異的結合物質の種類に関する特異的結合物質データおよびＩＤデータ記録用の吸着性領域７の位置に関するＩＤデータ記録用位置データが、キーボード３１に入力される。
【０１１３】
本実施態様においては、１９２００の約０．０７平方ミリメートルのサイズを有する吸着性領域が、１２０列×１６０行のマトリックス状に、規則的に、生化学解析用ユニット１の基板２に形成されており、特異的結合物質を含む溶液は、それぞれ、生化学解析用ユニット１の各吸着性領域４に、滴下される。
【０１１４】
キーボード２６に入力された滴下位置データ、特異的結合物質データおよびＩＤデータ記録用位置データは、コントロールユニット２５に入力され、コントロールユニット３０は、滴下位置データ、特異的結合物質データおよびＩＤデータ記録用位置データを受けると、滴下位置データに基づいて、生化学解析用ユニット１の基板２に形成された各吸着性領域４の位置に、スポッティングヘッド９を移動させるために、主走査パルスモータ１６および副走査パルスモータ１２に与えるべき駆動パルスを算出し、滴下位置データ、特異的結合物質データ、ＩＤデータ記録用位置データおよび駆動パルスデータを、メモリ（図示せず）に記憶する。
【０１１５】
本実施態様においては、生化学解析用ユニット１の基板２には、多数の吸着性領域４が、一定の間隔で、規則的なパターンにより、形成されているから、三番目以降に、特異的結合物質を含む溶液を滴下すべき吸着性領域４の位置に、スポッティングヘッド９を移動させるために、主走査パルスモータ１６および副走査パルスモータ１２に与えるべき駆動パルスは、最初に、特異的結合物質を含む溶液を滴下すべき吸着性領域４の位置から、二番目に、特異的結合物質を含む溶液を滴下すべき吸着性領域４の位置に、スポッティングヘッド９を移動させるために、主走査パルスモータ１６および副走査パルスモータ１２に与えるべき駆動パルスと同一であり、したがって、最初に、特異的結合物質を含む溶液を滴下すべき吸着性領域４の位置に、スポッティングヘッド９を移動させるために、主走査パルスモータ１６および副走査パルスモータ１２に与えるべき駆動パルスと、最初に、特異的結合物質を含む溶液を滴下すべき吸着性領域４の位置から、二番目に、特異的結合物質を含む溶液を滴下すべき吸着性領域４の位置に、スポッティングヘッド９を移動させるために、主走査パルスモータ１６および副走査パルスモータ１２に与えるべき駆動パルスを算出して、メモリに記憶させれば、十分である。
【０１１６】
こうして、特異的結合物質を含む溶液を滴下すべき吸着性領域４の位置に、スポッティングヘッド９を移動させるために、主走査パルスモータ１６および副走査パルスモータ１２に与えるべき駆動パルスが算出され、駆動パルスデータがメモリに記憶されると、コントロールユニット３０は、スポッティングヘッド９を待機位置に移動させ、メモリに記憶された特異的結合物質データにしたがって、所定の特異的結合物質を含む溶液を、スポッティングヘッド９に保持させる。
【０１１７】
次いで、コントロールユニット３０は、メモリに記憶された駆動パルスデータに基づき、主走査パルスモータ１６および副走査パルスモータ１２に所定の駆動パルスを与えて、スポッティングヘッド９を間欠的に移動させ、スポッティングヘッド９が、最初に、特異的結合物質を含む溶液を滴下すべき吸着性領域４の位置に達した時点で、主走査パルスモータ１６および副走査パルスモータ１２に駆動停止信号を出力して、スポッティングヘッド９を停止させ、スポッティングヘッド９に滴下信号を出力して、インジェクタから、特異的結合物質を含む溶液を噴射させる。
【０１１８】
その結果、最初に、特異的結合物質を含む溶液を滴下すべき吸着性領域４に、特異的結合物質を含む溶液が滴下され、特異的結合物質が吸着性領域４に吸着される。
【０１１９】
二番目以降に、特異的結合物質を含む溶液を滴下すべき吸着性領域４に、特異的結合物質を含む溶液を滴下する場合には、まず、スポッティングヘッド９を待機位置に移動させて、所定の特異的結合物質を含む溶液をスポッティングヘッド９に保持させた後、元の位置に、スポッティングヘッド９を復帰させ、矢印Ｘで示される主走査方向および矢印Ｙで示される副走査方向に、それぞれ、一定のピッチで、移動させる。
【０１２０】
同様にして、スポッティングヘッド９に、各吸着性領域４に滴下すべき特異的結合物質を含む溶液を保持させ、主走査パルスモータ１６および副走査パルスモータ１２により、スポッティングヘッド９を間欠的に移動させて、入力された滴下データおよび特異的結合物質データにしたがって、生化学解析用ユニット１の基板２に形成された多数の吸着性領域４に、順次、所定の特異的結合物質を含む溶液が滴下させる。
【０１２１】
こうして、滴下位置データおよび特異的結合物質データに基づいて、生化学解析用ユニット１の基板２に形成された多数の吸着性領域４への所定の特異的結合物質を含む溶液の滴下が完了すると、コントロールユニット３０は、メモリに記憶されたＩＤ位置データを読み出し、ＩＤ位置データに基づき、生化学解析用ユニット１の基板２に形成されたＩＤデータ記録用の吸着性領域７の位置に、スポッティングヘッド９を移動させるために、主走査パルスモータ１６および副走査パルスモータ１２に与えるべき駆動パルスを算出して、メモリ（図示せず）に記憶させる。
【０１２２】
次いで、コントロールユニット３０は、スポッティングヘッド９を待機位置に移動させ、スポッティングヘッド９に、ＩＤデータ記録用溶液を保持させる。
【０１２３】
本実施態様においては、ＩＤデータ記録用溶液として、すべての生体由来の物質と特異的に結合する特異的結合物質を含む溶液が用いられる。
【０１２４】
スポッティングヘッド９に、すべての生体由来の物質と特異的に結合する特異的結合物質を含むＩＤデータ記録用溶液を保持されると、コントロールユニット３０は、ＩＤ位置データに基づいて算出され、メモリに記憶された駆動パルスデータに基づき、主走査パルスモータ１６および副走査パルスモータ１２に所定の駆動パルスを与えて、スポッティングヘッド９を間欠的に移動させ、スポッティングヘッド９が、最初に、ＩＤデータ記録用溶液を滴下すべきＩＤデータ記録用の吸着性領域７の位置に達した時点で、主走査パルスモータ１６および副走査パルスモータ１２に駆動停止信号を出力して、スポッティングヘッド９を停止させ、スポッティングヘッド９に滴下信号を出力して、インジェクタから、ＩＤデータ記録用溶液を噴射させる。
【０１２５】
同様にして、二番目以降に、ＩＤデータ記録用溶液を滴下すべきＩＤデータ記録用の吸着性領域７に、ＩＤデータ記録用溶液が滴下される。
【０１２６】
本実施態様においては、複数のＩＤデータ記録用の吸着性領域７に、異なった濃度のすべての生体由来の物質と特異的に結合する特異的結合物質を含むＩＤデータ記録用溶液を滴下して、すべての生体由来の物質と特異的に結合する特異的結合物質を吸着させることによって、どのような特異的結合物質を含む溶液が、どのようなパターンで、滴下されたかに関するＩＤデータが、ＩＤデータ記録用の吸着性領域７に記録される。
【０１２７】
次いで、こうして、生化学解析用ユニット１の基板２に形成された多数の吸着性領域４およびＩＤデータ記録用の吸着性領域７に吸着された特異的結合物質に、標識物質によって標識された生体由来の物質が、選択的に、ハイブリダイズされる。
【０１２８】
図４は、ハイブリダイゼーション反応容器の略縦断面図である。
【０１２９】
図４に示されるように、ハイブリダイゼーション反応容器４０は矩形状断面を有し、内部に、標識物質によって標識されたプローブである生体由来の物質を含むハイブリダイゼーション反応溶液４１が収容されている。
【０１３０】
放射性標識物質によって、ｃＤＮＡなどの特異的結合物質を選択的に標識する場合には、放射性標識物質によって標識されたプローブである生体由来の物質を含むハイブリダイゼーション反応溶液４１が調製され、ハイブリダイゼーション反応容器４０内に収容される。
【０１３１】
一方、化学発光基質と接触させることによって化学発光を生じさせる標識物質によって、ｃＤＮＡなどの特異的結合物質を選択的に標識する場合には、化学発光基質と接触させることによって化学発光を生じさせる標識物質によって標識されたプローブである生体由来の物質を含むハイブリダイゼーション反応溶液４１が調製され、ハイブリダイゼーション反応容器４０内に収容される。
【０１３２】
さらに、蛍光色素などの蛍光物質によって、ｃＤＮＡなどの特異的結合物質を選択的に標識する場合には、蛍光色素などの蛍光物質によって標識されたプローブである生体由来の物質を含むハイブリダイゼーション反応溶液４１が調製され、ハイブリダイゼーション反応容器４０内に収容される。
【０１３３】
放射性標識物質によって標識された生体由来の物質、化学発光基質と接触させることによって化学発光を生じさせる標識物質によって標識された生体由来の物質および蛍光色素などの蛍光物質によって標識された生体由来の物質のうち、２以上の生体由来の物質を含むハイブリダイゼーション反応溶液４１を調製して、ハイブリダイゼーション反応容器４０内に収容させることもでき、本実施態様においては、放射性標識物質によって標識された生体由来の物質および蛍光色素などの蛍光物質によって標識された生体由来の物質を含むハイブリダイゼーション反応溶液４１が調製されて、ハイブリダイゼーション反応容器４０内に収容されている。
【０１３４】
ハイブリダイゼーションにあたっては、生化学解析用ユニット１が、ハイブリダイゼーション反応容器４０内に挿入されて、ハイブリダイゼーション反応容器４０に振動が加えられる。
【０１３５】
その結果、放射性標識物質によって標識された生体由来の物質および蛍光色素などの蛍光物質によって標識された生体由来の物質が、対流や拡散によって、生化学解析用ユニット１の多数の吸着性領域４に吸着されている特異的結合物質に接触し、選択的に、ハイブリダイズされる。
【０１３６】
一方、ＩＤデータ記録用の吸着性領域７には、すべての生体由来の物質と特異的に結合する特異的結合物質が吸着されているから、放射性標識物質によって標識された生体由来の物質および蛍光色素などの蛍光物質によって標識された生体由来の物質が、ＩＤデータ記録用の吸着性領域７に吸着されている特異的結合物質にハイブリダイズされる。
【０１３７】
放射性標識物質によって標識された生体由来の物質および蛍光物質によって標識された生体由来の物質が、吸着性領域４に吸着されている特異的結合物質に、選択的に、ハイブリダイズされ、ＩＤデータ記録用の吸着性領域７に吸着されている特異的結合物質にハイブリダイズされると、ハイブリダイゼーション反応容器４０から、ハイブリダイゼーション反応溶液４１が排出され、洗浄溶液が、ハイブリダイゼーション容器４０に供給されて、生化学解析用ユニット１が洗浄される。
【０１３８】
本実施態様においては、生化学解析用ユニット１は、ステンレス鋼製の基板２によって、形成されているので、ハイブリダイゼーションや洗浄など、液体による処理を受けても、ほとんど伸縮することがない。
【０１３９】
こうして、生化学解析用ユニット１の多数の吸着性領域４に、標識物質である放射性標識物質の放射線データおよび蛍光色素などの蛍光物質の蛍光データが記録されるとともに、ＩＤデータ記録用の吸着性領域７に、どのような特異的結合物質を含む溶液が、どのようなパターンで、滴下されたかに関するＩＤデータが記録される。生化学解析用ユニット１の吸着性領域４に記録された蛍光データおよびＩＤデータ記録用の吸着性領域７に記録されたＩＤデータは、後述するスキャナによって読み取られ、生化学解析用データおよびＩＤデータが生成される。
【０１４０】
一方、生化学解析用ユニット１の吸着性領域４に記録された放射性標識物質の放射線データおよびＩＤデータ記録用の吸着性領域７に、放射性標識物質によって記録されたＩＤデータは、蓄積性蛍光体シートに転写され、蓄積性蛍光体シートに転写された放射線データおよびＩＤデータは、後述するスキャナによって読み取られて、生化学解析用データおよびＩＤデータが生成される。
【０１４１】
図５は、蓄積性蛍光体シートの略斜視図である。
【０１４２】
図５に示されるように、本実施態様にかかる蓄積性蛍光体シート５０は、ステンレス鋼によって形成され、多数の略円形の貫通孔５３が規則的に形成された支持体５１を備え、支持体５１に形成された多数の貫通孔５３内に、放射線エネルギーを吸収し、蓄積可能なＢａＦＸ系輝尽性蛍光体（ここに、Ｘは、Ｃｌ、ＢｒおよびＩからなる群から選ばれたハロゲン原子である。）が充填されて、多数の輝尽性蛍光体層領域５２が、ドット状に形成されている。
【０１４３】
多数の貫通孔５３は、生化学解析用ユニット１の基板２に形成された多数の吸着性領域４と同一のパターンで、支持体５１に形成され、それぞれ、生化学解析用ユニット１の基板２に形成された多数の吸着性領域４と同じサイズを有している。
【０１４４】
したがって、図５には、正確に示されていないが、本実施態様においては、１９２００の約０．０７平方ミリメートルのサイズを有する略円形の輝尽性蛍光体層領域５２が、約５０００個／平方センチメートルの密度で、生化学解析用ユニット１の多数の吸着性領域４と同じ規則的なパターンにしたがって、蓄積性蛍光体シート５０の支持体５１に、マトリックス状に形成されている。
【０１４５】
図５に示されるように、支持体５１の多数の輝尽性蛍光体層領域５２が形成されている領域の側方には、複数の貫通孔５６が形成され、複数の貫通孔５６に、輝尽性蛍光体が充填されて、複数のＩＤデータ記録用の輝尽性蛍光体層領域５７が形成されている。複数のＩＤデータ記録用の輝尽性蛍光体層領域５７は、生化学解析用ユニット１に形成された複数のＩＤデータ記録用の吸着性領域７に対応する位置に、形成されている。
【０１４６】
したがって、複数のＩＤデータ記録用の輝尽性蛍光体層領域５７は、隣り合うラインの輝尽性蛍光体層領域５２と、輝尽性蛍光体層領域５２の隣り合うラインの距離の２倍だけ、離間した位置に、隣り合うＩＤデータ記録用の輝尽性蛍光体層領域５７の間の距離が、隣り合う輝尽性蛍光体層領域５２の間の距離と等しくなるように、形成されている。
【０１４７】
また、本実施態様においては、支持体５１の表面と、輝尽性蛍光体層領域５２およびＩＤデータ記録用の輝尽性蛍光体層領域５７のそれぞれの表面とが同一の高さに位置するように、支持体５１に形成された多数の貫通孔５３および複数の貫通孔５６に、輝尽性蛍光体が充填されて、蓄積性蛍光体シート５０が形成されている。
【０１４８】
図５に示されるように、蓄積性蛍光体シート５０の支持体５１には、一方の側部に沿って、生化学解析用ユニット１の基板２に形成された２つの位置合わせ用貫通孔５、５に対応する位置に、２つの円形の位置合わせ用貫通孔５５、５５が形成されている。
【０１４９】
位置合わせ用貫通孔５５、５５は、それぞれ、生化学解析用ユニット１の基板２に形成された２つの位置合わせ用貫通孔５、５と同じサイズを有している。
【０１５０】
図６は、蓄積性蛍光体シート５０に形成された多数の輝尽性蛍光体層領域５２に含まれた輝尽性蛍光体を、生化学解析用ユニット１に形成された多数の吸着性領域４に選択的に含まれている放射性標識物質によって、露光するとともに、蓄積性蛍光体シート５０に形成された複数のＩＤデータ記録用の輝尽性蛍光体層領域５７に含まれた輝尽性蛍光体を、生化学解析用ユニット１に形成された複数のＩＤデータ記録用の吸着性領域７に含まれている放射性標識物質によって、露光する露光装置の略斜視図である。
【０１５１】
図６に示されるように、本実施態様にかかる蓄積性蛍光体シート５０の露光装置は、ケーシング６０と、蓋部材６１とを備え、ケーシング６０内には、生化学解析用ユニット１および蓄積性蛍光体シート５０を載置する基板６２が設けられている。
【０１５２】
本実施態様において、露光装置の蓋部材６１および基板６２は、銅などの放射線を反射する性質を有する材料によって形成されている。
【０１５３】
露光装置のケーシング６０は、ステンレス鋼などの放射線エネルギーを減衰させる材料によって形成されており、露光装置の基板６２には、生化学解析用ユニット１の基板２に形成された２つの位置合わせ用貫通孔５、５および蓄積性蛍光体シート５０の支持体５１に形成された２つの位置合わせ用貫通孔５５、５５に対応する位置に、２つの位置合わせ用ピン６３、６３が立設されている。
【０１５４】
ここに、２つの位置合わせ用ピン６３、６３は、生化学解析用ユニット１の基板２に形成された２つの位置合わせ用貫通孔５、５および蓄積性蛍光体シート５０の支持体５１に形成された２つの位置合わせ用貫通孔５５、５５内に挿通されたとき、遊びがないように、生化学解析用ユニット１の基板２に形成された２つの位置合わせ用貫通孔５、５および蓄積性蛍光体シート５０の支持体５１に形成された２つの位置合わせ用貫通孔５５、５５の内径よりもわずかに小さい径を有している。
【０１５５】
蓄積性蛍光体シート５０の支持体５１に形成された多数の輝尽性蛍光体層領域５２および複数のＩＤデータ記録用の輝尽性蛍光体層領域５７に含まれている輝尽性蛍光体を、生化学解析用ユニット１に形成された多数の吸着性領域４に選択的に含まれている放射性標識物質および複数のＩＤデータ記録用の吸着性領域７に含まれている放射性標識物質によって、露光するにあたっては、まず、生化学解析用ユニット１が、２つの位置合わせ用貫通孔５、５内に、基板６２に形成された２つの位置合わせ用ピン６３、６３が挿通されるように、露光装置の基板６２上にセットされる。
【０１５６】
次いで、蓄積性蛍光体シート５０が、２つの位置合わせ用貫通孔５５、５５内に、基板６２に形成された２つの位置合わせ用ピン６３、６３が挿通されるように、露光装置の基板６２上にセットされた生化学解析用ユニット１の上にセットされる。
【０１５７】
このように、生化学解析用ユニット１および蓄積性蛍光体シート５０は、露光装置の基板６２に形成された２つの位置合わせ用ピン６３、６３が、２つの位置合わせ用貫通孔５、５および２つの位置合わせ用貫通孔５５、５５内に挿通されるように、露光装置の基板６２上にセットされるから、生化学解析用ユニット１と蓄積性蛍光体シート５０とを、生化学解析用ユニット１、蓄積性蛍光体シート５０および露光装置の基板６２の相対的位置関係が、つねに一定になるように、重ね合わせることができ、したがって、生化学解析用ユニット１の基板２に形成された吸着性領域４およびＩＤデータ記録用の吸着性領域７に含まれた放射性標識物質によって、つねに、蓄積性蛍光体シート５０の対応する輝尽性蛍光体層領域５２およびＩＤデータ記録用の輝尽性蛍光体層領域５７に含まれている輝尽性蛍光体を、露光することが可能になる。
【０１５８】
こうして、所定の時間にわたって、生化学解析用ユニット１と蓄積性蛍光体シート５０とを重ね合わせることによって、生化学解析用ユニット１に形成された多数の吸着性領域４およびＩＤデータ記録用の吸着性領域７に含まれた放射性標識物質によって、蓄積性蛍光体シート５０の支持体５１に形成された多数の輝尽性蛍光体層領域５２およびＩＤデータ記録用の輝尽性蛍光体層領域５７に含まれている輝尽性蛍光体が露光される。
【０１５９】
図７は、生化学解析用ユニット１に形成された多数の吸着性領域４に含まれた放射性標識物質によって、蓄積性蛍光体シート５０の支持体５１に形成された多数の輝尽性蛍光体層領域５２を露光する方法を示す略断面図である。
【０１６０】
露光に際し、生化学解析用ユニット１の吸着性領域４に吸着されている放射性標識物質から電子線（β線）が発せられるが、生化学解析用ユニット１の多数の吸着性領域４は、放射線エネルギーを減衰させる性質を有するステンレス鋼によって形成された基板２に、互いに離間して、形成されているから、各吸着性領域４から放出された電子線（β線）が、生化学解析用ユニット１の基板２内で散乱して、隣り合う吸着性領域４から放出された電子線（β線）と混ざり合い、隣り合う吸着性領域４に対向する輝尽性蛍光体層領域５２に入射することを効果的に防止することができ、さらに、蓄積性蛍光体シート５０の多数の輝尽性蛍光体層領域５７は、放射線エネルギーを減衰させる性質を有するステンレス鋼によって形成された支持体５１に、互いに離間して、形成され、各輝尽性蛍光体層領域５２の周囲には、放射線エネルギーを減衰させる性質を有するステンレス鋼製の支持体５１が存在しているから、生化学解析用ユニット１の吸着性領域４に含まれている放射性標識物質から発せられた電子線（β線）が、蓄積性蛍光体シート５０の支持体５１内で、散乱することを効果的に防止することができ、したがって、吸着性領域４に含まれている放射性標識物質から発せられた電子線（β線）はすべて、その吸着性領域４に対向する輝尽性蛍光体層領域５２に入射し、隣り合う吸着性領域４から放出される電子線（β線）によって露光されるべき輝尽性蛍光体層領域５２に入射して、露光することを効果的に防止することができる。
【０１６１】
したがって、蓄積性蛍光体シート５０の支持体５１に形成された多数の輝尽性蛍光体層領域５２を、生化学解析用ユニット１の対応する吸着性領域４に含まれた放射性標識物質のみによって、効果的に、露光することが可能になる。
【０１６２】
こうして、蓄積性蛍光体シート５０の支持体５１に形成された多数の輝尽性蛍光体層領域５２に、放射性標識物質の放射線データが記録される。
【０１６３】
一方、露光に際し、生化学解析用ユニット１の複数のＩＤデータ記録用の吸着性領域７に吸着されている放射性標識物質から電子線（β線）が発せられるが、生化学解析用ユニット１の複数のＩＤデータ記録用の吸着性領域７は、放射線エネルギーを減衰させる性質を有するステンレス鋼によって形成された基板２に、互いに離間して、形成されているから、各ＩＤデータ記録用の吸着性領域７から放出された電子線（β線）が、生化学解析用ユニット１の基板２内で散乱して、隣り合うＩＤデータ記録用の吸着性領域７あるいは吸着性領域４から放出された電子線（β線）と混ざり合い、隣り合うＩＤデータ記録用の吸着性領域７あるいは吸着性領域４に対向する輝尽性蛍光体層領域５２に入射することを効果的に防止することができ、さらに、蓄積性蛍光体シート５０の複数のＩＤデータ記録用の輝尽性蛍光体層領域５７は、放射線エネルギーを減衰させる性質を有するステンレス鋼によって形成された支持体５１に、互いに離間して、形成され、各ＩＤデータ記録用の輝尽性蛍光体層領域５７の周囲には、放射線エネルギーを減衰させる性質を有するステンレス鋼製の支持体５１が存在しているから、生化学解析用ユニット１のＩＤデータ記録用の吸着性領域７に含まれている放射性標識物質から発せられた電子線（β線）が、蓄積性蛍光体シート５０の支持体５１内で、散乱することを効果的に防止することができ、したがって、各ＩＤデータ記録用の吸着性領域７に含まれている放射性標識物質から発せられた電子線（β線）はすべて、そのＩＤデータ記録用の吸着性領域７に対向するＩＤデータ記録用の輝尽性蛍光体層領域５７に入射し、隣り合うＩＤデータ記録用の吸着性領域４あるいは吸着性領域４から放出される電子線（β線）によって露光されるべきＩＤデータ記録用の輝尽性蛍光体層領域５７あるいは輝尽性蛍光体層領域５２に入射して、露光することを効果的に防止することができる。
【０１６４】
したがって、蓄積性蛍光体シート５０の支持体５１に形成された複数のＩＤデータ記録用の輝尽性蛍光体層領域５７を、生化学解析用ユニット１の対応するＩＤデータ記録用の吸着性領域７に含まれた放射性標識物質のみによって、効果的に、露光することが可能になる。
【０１６５】
こうして、生化学解析用ユニット１に、どのような特異的結合物質を含む溶液が、どのようなパターンで、滴下されたかに関するＩＤデータが、蓄積性蛍光体シート５０の支持体５１に形成された複数のＩＤデータ記録用の輝尽性蛍光体層領域５７に記録される。
【０１６６】
蓄積性蛍光体シート５０の多数の輝尽性蛍光体層領域５２に記録された放射線データおよび複数のＩＤデータ記録用の輝尽性蛍光体層領域５７に記録された生化学解析用ユニット１に、どのような特異的結合物質を含む溶液が、どのようなパターンで、滴下されたかに関するＩＤデータは、スキャナによって、読み取られ、生化学解析用データおよびＩＤデータが生成される。
【０１６７】
図８は、蓄積性蛍光体シート５０の支持体５１に形成された多数の輝尽性蛍光体層領域５２に記録された放射性標識物質の放射線データおよび生化学解析用ユニット１の多数の吸着性領域４に記録された蛍光データを読み取って、生化学解析用データを生成するスキャナの略斜視図であり、図９は、フォトマルチプライア近傍のスキャナの詳細を示す略斜視図である。
【０１６８】
本実施態様にかかるスキャナは、蓄積性蛍光体シート５０の支持体５１に形成された多数の輝尽性蛍光体層領域５２に記録された放射性標識物質の放射線データおよび生化学解析用ユニット１の多数の吸着性領域４に記録された蛍光データを読み取り可能に構成されている。
【０１６９】
図８に示されるように、本実施態様にかかるスキャナは、６４０ｎｍの波長のレーザ光８４を発する第１のレーザ励起光源８１と、５３２ｎｍの波長のレーザ光８４を発する第２のレーザ励起光源８２と、４７３ｎｍの波長のレーザ光８４を発する第３のレーザ励起光源８３とを備えている。
【０１７０】
本実施態様においては、第１のレーザ励起光源８１は、半導体レーザ光源により構成され、第２のレーザ励起光源８２および第３のレーザ励起光源８３は、第二高調波生成（Ｓｅｃｏｎｄ  Ｈａｒｍｏｎｉｃ  Ｇｅｎｅｒａｔｉｏｎ）素子によって構成されている。
【０１７１】
第１のレーザ励起光源８１により発生されたレーザ光８４は、コリメータレンズ８５によって、平行光とされた後、ミラー８６によって反射される。第１のレーザ励起光源８１から発せられ、ミラー８６によって反射されたレーザ光８４の光路には、６４０ｎｍのレーザ光４を透過し、５３２ｎｍの波長の光を反射する第１のダイクロイックミラー８７および５３２ｎｍ以上の波長の光を透過し、４７３ｎｍの波長の光を反射する第２のダイクロイックミラー８８が設けられており、第１のレーザ励起光源８１により発生されたレーザ光８４は、第１のダイクロイックミラー８７および第２のダイクロイックミラー８８を透過して、ミラー８９に入射する。
【０１７２】
他方、第２のレーザ励起光源８２より発生されたレーザ光８４は、コリメータレンズ９０により、平行光とされた後、第１のダイクロイックミラー８７によって反射されて、その向きが９０度変えられて、第２のダイクロイックミラー８８を透過し、ミラー８９に入射する。
【０１７３】
また、第３のレーザ励起光源８３から発生されたレーザ光８４は、コリメータレンズ９１によって、平行光とされた後、第２のダイクロイックミラー８８により反射されて、その向きが９０度変えられた後、ミラー８９に入射する。
【０１７４】
ミラー８９に入射したレーザ光８４は、ミラー８９によって反射され、さらに、ミラー９２に入射して、反射される。
【０１７５】
ミラー９２によって反射されたレーザ光８４の光路には、中央部に穴９３が形成された凹面ミラーによって形成された穴開きミラー９４が配置されており、ミラー９２によって反射されたレーザ光８４は、穴開きミラー９４の穴９３を通過して、凹面ミラー９８に入射する。
【０１７６】
凹面ミラー９８に入射したレーザ光８４は、凹面ミラー９８によって反射されて、光学ヘッド９５に入射する。
【０１７７】
光学ヘッド９５は、ミラー９６と、非球面レンズ９７を備えており、光学ヘッド９５に入射したレーザ光８４は、ミラー９６によって反射されて、非球面レンズ９７によって、サンプルステージ１００のガラス板１０１上に載置された蓄積性蛍光体シート５０あるいは生化学解析用ユニット１に入射する。
【０１７８】
図１０は、蓄積性蛍光体シート５０および生化学解析用ユニット１がセットされるスキャナのサンプルステージ１００の略斜視図である。
【０１７９】
図１０に示されるように、スキャナのサンプルステージ１００には、生化学解析用ユニット１の基板２に形成された２つの位置合わせ用貫通孔５、５および蓄積性蛍光体シート５０の支持体５１に形成された２つの位置合わせ用貫通孔５５、５５に対応する位置に、２つの位置合わせ用ピン１０２、１０２が形成されている。
【０１８０】
蓄積性蛍光体シート５０は、サンプルステージ１００に形成された２つの位置合わせ用ピン１０２、１０２が、蓄積性蛍光体シート５０の支持体５１に形成された２つの位置合わせ用貫通孔５５、５５内に挿通されるように、スキャナのサンプルステージ１００にセットされ、一方、生化学解析用ユニット１は、サンプルステージ１００に形成された２つの位置合わせ用ピン１０２、１０２が、生化学解析用ユニット１の基板２に形成された２つの位置合わせ用貫通孔５、５内に挿通されるように、スキャナのサンプルステージ１００にセットされる。
【０１８１】
したがって、蓄積性蛍光体シート５０と、生化学解析用ユニット１が、スキャナのサンプルステージ１００との相対的な位置関係が、つねに、一定となるように、サンプルステージ１００上に、セットされることが保証されている。
【０１８２】
蓄積性蛍光体シート５０の支持体５１に形成された輝尽性蛍光体層領域５２の１つに、レーザ光８４が入射すると、輝尽性蛍光体層領域５２に含まれている輝尽性蛍光体が励起され、輝尽光１０５が放出され、また、生化学解析用ユニット１の基板２に形成された吸着性領域４の１つに、レーザ光８４が入射すると、吸着性領域４に含まれている蛍光色素などの蛍光物質が励起されて、蛍光１０５が放出される。
【０１８３】
蓄積性蛍光体シート５０の支持体５１に形成された輝尽性蛍光体層領域５２から放出された輝尽光１０５あるいは生化学解析用ユニット１の基板２に形成された吸着性領域４から放出された蛍光１０５は、光学ヘッド９５に設けられた非球面レンズ９７によって、ミラー９６に集光され、ミラー９６によって、レーザ光８４の光路と同じ側に反射され、平行な光とされて、凹面ミラー９８に入射する。
【０１８４】
凹面ミラー９８に入射した輝尽光１０５あるいは蛍光１０５は、凹面ミラー９８によって反射されて、穴開きミラー９４に入射する。
【０１８５】
穴開きミラー９４に入射した輝尽光１０５あるいは蛍光１０５は、図９に示されるように、凹面ミラーによって形成された穴開きミラー９４によって、下方に反射されて、フィルタユニット１０８に入射し、所定の波長の光がカットされて、フォトマルチプライア１１０に入射し、光電的に検出される。
【０１８６】
図９に示されるように、フィルタユニット１０８は、４つのフィルタ部材１１１ａ、１５１ｂ、１５１ｃ、１５１ｄを備えており、フィルタユニット１０８は、モータ（図示せず）によって、図９において、左右方向に移動可能に構成されている。
【０１８７】
図１１は、図９のＡ−Ａ線に沿った略断面図である。
【０１８８】
図１１に示されるように、フィルタ部材１１１ａはフィルタ１１２ａを備え、フィルタ１１２ａは、第１のレーザ励起光源８１を用いて、生化学解析用ユニット１に形成された多数の吸着性領域４に含まれている蛍光物質を励起し、蛍光１０５を読み取るときに使用されるフィルタ部材であり、６４０ｎｍの波長の光をカットし、６４０ｎｍよりも波長の長い光を透過する性質を有している。
【０１８９】
図１２は、図９のＢ−Ｂ線に沿った略断面図である。
【０１９０】
図１２に示されるように、フィルタ部材１１１ｂはフィルタ１１２ｂを備え、フィルタ１１２ｂは、第２のレーザ励起光源８２を用いて、生化学解析用ユニット１に形成された多数の吸着性領域４に含まれている蛍光物質を励起し、蛍光１０５を読み取るときに使用されるフィルタ部材であり、５３２ｎｍの波長の光をカットし、５３２ｎｍよりも波長の長い光を透過する性質を有している。
【０１９１】
図１３は、図９のＣ−Ｃ線に沿った略断面図である。
【０１９２】
図１３に示されるように、フィルタ部材１１１ｃはフィルタ１１２ｃを備え、フィルタ１１２ｃは、第３のレーザ励起光源８３を用いて、生化学解析用ユニット１に形成された多数の吸着性領域４に含まれている蛍光物質を励起して、蛍光１０５を読み取るときに使用されるフィルタ部材であり、４７３ｎｍの波長の光をカットし、４７３ｎｍよりも波長の長い光を透過する性質を有している。
【０１９３】
図１４は、図９のＤ−Ｄ線に沿った略断面図である。
【０１９４】
図１４に示されるように、フィルタ部材１１１ｄはフィルタ１１２ｄを備え、フィルタ１１２ｄは、第１のレーザ励起光源８１を用いて、蓄積性蛍光体シート７０に形成された輝尽性蛍光体層５２に含まれている輝尽性蛍光体を励起して、輝尽性蛍光体層５２から発せられた輝尽光１０５を読み取るときに使用されるフィルタであり、輝尽性蛍光体層５２に含まれている輝尽性蛍光体から放出される輝尽光１０５の波長域の光のみを透過し、６４０ｎｍの波長の光をカットする性質を有している。
【０１９５】
したがって、使用すべきレーザ励起光源に応じて、フィルタ部材１１１ａ、１５１ｂ、１５１ｃ、１５１ｄを選択的にフォトマルチプライア１１０の前面に位置させることによって、フォトマルチプライア１１０は、検出すべき光のみを光電的に検出することができる。
【０１９６】
フォトマルチプライア１１０によって、輝尽光１０５あるいは蛍光１０５が光電的に検出されて、生成されたアナログデータは、Ａ／Ｄ変換器１１３に出力されて、ディジタル化され、データ処理装置１１４に出力される。
【０１９７】
図１５は、光学ヘッド９５の走査機構の略平面図である。
【０１９８】
図１５においては、簡易化のため、光学ヘッド９５を除く光学系ならびにレーザ光８４および蛍光１０５あるいは輝尽光１０５の光路は省略されている。
【０１９９】
図１５に示されるように、光学ヘッド９５を走査する走査機構は、基板１２０を備え、基板１２０上には、副走査パルスモータ１２１と一対のレール１２２、６２とが固定され、基板１２０上には、さらに、図１５において、矢印Ｙで示された副走査方向に、移動可能な基板１２３とが設けられている。
【０２００】
移動可能な基板１２３には、ねじが切られた穴（図示せず）が形成されており、この穴内には、副走査パルスモータ１２１によって回転されるねじが切られたロッド１２４が係合している。
【０２０１】
移動可能な基板１２３上には、主走査ステッピングモータ１２５が設けられ、主走査ステッピングモータ１２５は、エンドレスベルト１２６を、生化学解析用ユニット１の基板２に形成された隣り合う吸着性領域４の間の距離、すなわち、蓄積性蛍光体シート５０の支持体５１に形成された隣り合う輝尽性蛍光体層領域５２の間の距離に等しいピッチで、間欠的に駆動可能に構成されている。
【０２０２】
光学ヘッド９５は、エンドレスベルト１２６に固定されており、主走査ステッピングモータ１２５によって、エンドレスベルト１２６が駆動されると、図１５において、矢印Ｘで示された主走査方向に移動されるように構成されている。
【０２０３】
図１５において、６７は、光学ヘッド９５の主走査方向における位置を検出するリニアエンコーダであり、１２８は、リニアエンコーダ１２７のスリットである。
【０２０４】
したがって、主走査ステッピングモータ１２５によって、エンドレスベルト１２６が、主走査方向に間欠的に駆動され、１ラインの走査が完了すると、副走査パルスモータ１２１によって、基板１２３が、副走査方向に間欠的に移動されることによって、光学ヘッド９５は、図１５において、矢印Ｘで示される主走査方向および矢印Ｙで示される副走査方向に移動され、レーザ光８４により、蓄積性蛍光体シート５０の支持体５１に形成されたすべての輝尽性蛍光体層領域５２あるいは生化学解析用ユニット１の基板２に形成されたすべての吸着性領域４が走査される。
【０２０５】
図１６は、スキャナの制御系、入力系、駆動系および検出系を示すブロックダイアグラムである。
【０２０６】
図１６に示されるように、スキャナの制御系は、スキャナ全体を制御するコントロールユニット１３０を備えており、また、スキャナの入力系は、ユーザーによって操作され、種々の指示信号を入力可能なキーボード１３１を備えている。
【０２０７】
図１６に示されるように、スキャナの駆動系は、光学ヘッド９５を主走査方向に間欠的に移動させる主走査ステッピングモータ１２５と、光学ヘッド９５を副走査方向に間欠的に移動させる副走査パルスモータ１２１と、４つのフィルタ部材１１１ａ、１５１ｂ、１５１ｃ、１５１ｄを備えたフィルタユニット１０８を移動させるフィルタユニットモータ１３２を備えている。
【０２０８】
コントロールユニット１３０は、第１のレーザ励起光源８１、第２のレーザ励起光源８２または第３のレーザ励起光源８３に選択的に駆動信号を出力するとともに、フィルタユニットモータ１３２に駆動信号を出力可能に構成されている。
【０２０９】
また、図１６に示されるように、スキャナの検出系は、フォトマルチプライア１１０と、光学ヘッド９５の主走査方向における位置を検出するリニアエンコーダ１２７を備えている。
【０２１０】
本実施態様においては、コントロールユニット１３０は、リニアエンコーダ１２７から入力される光学ヘッド９５の位置検出信号にしたがって、第１のレーザ励起光源８１、第２のレーザ励起光源８２または第３のレーザ励起光源８３をオン・オフ制御するように構成されている。
【０２１１】
以上のように構成された本実施態様にかかるスキャナは、以下のようにして、蓄積性蛍光体シート５０の支持体５１に形成された多数の輝尽性蛍光体層領域５２に記録されている放射線データを読み取って、生化学解析用データを生成するとともに、複数のＩＤデータ記録用の輝尽性蛍光体層領域５７に記録されているＩＤデータを読み取って、生化学解析用ユニット１に、どのような特異的結合物質を含む溶液が、どのようなパターンで、滴下されたかに関するＩＤデータを生成する。
【０２１２】
まず、サンプルステージ１００に形成された２つの位置合わせ用ピン１０２、１０２が、蓄積性蛍光体シート５０の支持体５１に形成された２つの位置合わせ用貫通孔５５、５５内に挿通されるように、蓄積性蛍光体シート５０が、サンプルステージ１００のガラス板１０１上に載置される。
【０２１３】
次いで、ユーザーによって、キーボード１３１に、蓄積性蛍光体シート５０の支持体５１に形成された多数の輝尽性蛍光体層領域５２に記録されている放射線データを読み取る旨の指示信号が入力される。
【０２１４】
キーボード１３１に入力された指示信号は、コントロールユニット１３０に入力され、コントロールユニット１３０は、指示信号にしたがって、フィルタユニットモータ１３２に駆動信号を出力し、フィルタユニット１０８を移動させ、輝尽性蛍光体から放出される輝尽光１０５の波長域の光のみを透過し、６４０ｎｍの波長の光をカットする性質を有するフィルタ１１２ｄを備えたフィルタ部材１１１ｄを、輝尽光１０５の光路内に位置させる。
【０２１５】
さらに、コントロールユニット１３０は、主走査ステッピングモータ１２５に駆動信号を出力し、光学ヘッド９５を主走査方向に移動させ、リニアエンコーダ１２７から入力される光学ヘッド９５の位置検出信号に基づいて、蓄積性蛍光体シート５０の支持体５１に形成された多数の輝尽性蛍光体層領域５２のうち、第１の輝尽性蛍光体層領域５２に、レーザ光８４を照射可能な位置に、光学ヘッド９５が移動したことが確認されると、主走査ステッピングモータ１２５に停止信号を出力するとともに、第１のレーザ励起光源８１に、駆動信号を出力して、第１のレーザ励起光源８１を起動させ、６４０ｎｍの波長のレーザ光８４を発せさせる。
【０２１６】
第１のレーザ励起光源８１から発せられたレーザ光８４は、コリメータレンズ８５によって、平行な光とされた後、ミラー８６に入射して、反射される。
【０２１７】
ミラー８６によって反射されたレーザ光８４は、第１のダイクロイックミラー８７および第２のダイクロイックミラー８８を透過し、ミラー８９に入射する。
【０２１８】
ミラー８９に入射したレーザ光８４は、ミラー８９によって反射されて、さらに、ミラー９２に入射して、反射される。
【０２１９】
ミラー９２によって反射されたレーザ光８４は、穴開きミラー９４の穴９３を通過して、凹面ミラー９８に入射する。
【０２２０】
凹面ミラー９８に入射したレーザ光８４は、凹面ミラー９８によって反射されて、光学ヘッド９５に入射する。
【０２２１】
光学ヘッド９５に入射したレーザ光８４は、ミラー９６によって反射され、非球面レンズ９７によって、ステージ１００ガラス板１０１上に載置された蓄積性蛍光体シート５０の第１の輝尽性蛍光体層領域５２に集光される。
【０２２２】
本実施態様においては、輝尽性蛍光体層領域５２は、それぞれ、光エネルギーを減衰させる性質を有するステンレス製の支持体５１に形成された多数の貫通孔５３内に、輝尽性蛍光体が充填されて、形成されているから、各輝尽性蛍光体層領域５２内で、レーザ光８４が散乱して、隣り合った輝尽性蛍光体層領域５２内に入射し、隣り合った輝尽性蛍光体層領域５２に含まれている輝尽性蛍光体を励起することを、効果的に防止することが可能になる。
【０２２３】
レーザ光８４が、蓄積性蛍光体シート５０の支持体５１に形成された第１の輝尽性蛍光体層領域５２に入射すると、第１の輝尽性蛍光体層領域５２に含まれている輝尽性蛍光体が、レーザ光８４によって励起されて、第１の輝尽性蛍光体層領域５２から、輝尽光１０５が放出される。
【０２２４】
ここに、本実施態様においては、蓄積性蛍光体シート５０の多数の輝尽性蛍光体層領域５２は、ステンレス鋼製の支持体５１に、互いに離間して、形成された多数の貫通孔５３内に、輝尽性蛍光体を充填して、形成されており、輝尽性蛍光体層領域５２の周囲には、光エネルギーを減衰させる性質を有するステンレス鋼製の支持体５１が存在しているので、輝尽性蛍光体層領域５２に含まれている輝尽性蛍光体が励起されて、輝尽性蛍光体から放出された輝尽光１０５が、隣り合う輝尽性蛍光体層領域５２に含まれた輝尽性蛍光体が励起されて、放出された輝尽光１０５と混ざり合うことを確実に防止することができる。
【０２２５】
蓄積性蛍光体シート５０の第１の輝尽性蛍光体領域５２から放出された輝尽光１０５は、光学ヘッド９５に設けられた非球面レンズ９７によって集光され、ミラー９６により、レーザ光８４の光路と同じ側に反射され、平行な光とされて、凹面ミラー９８に入射する。
【０２２６】
凹面ミラー９８に入射した輝尽光１０５は、凹面ミラー９８によって反射されて、穴開きミラー９４に入射する。
【０２２７】
穴開きミラー９４に入射した輝尽光１０５は、凹面ミラーによって形成された穴開きミラー９４によって、図９に示されるように、下方に反射され、フィルタユニット１０８のフィルタ１１２ｄに入射する。
【０２２８】
フィルタ１１２ｄは、輝尽性蛍光体から放出される輝尽光１０５の波長域の光のみを透過し、６４０ｎｍの波長の光をカットする性質を有しているので、励起光である６４０ｎｍの波長の光がカットされ、蓄積性蛍光体シート５０の第１の輝尽性蛍光体層領域５２から放出された輝尽光１０５の波長域の光のみがフィルタ１１２ｄを透過して、フォトマルチプライア１１０によって、光電的に検出される。
【０２２９】
フォトマルチプライア１１０によって、輝尽光１０５が光電的に検出されて、生成されたアナログデータは、Ａ／Ｄ変換器１１３によって、ディジタル化されて、データ処理装置１１４に出力される。
【０２３０】
第１のレーザ励起光源８１がオンされた後、所定の時間、たとえば、数μ秒が経過すると、コントロールユニット１３０は、第１のレーザ励起光源８１に駆動停止信号を出力して、第１のレーザ励起光源８１の駆動を停止させるとともに、主走査ステッピングモータ１２５に、駆動信号を出力して、光学ヘッド９５を、蓄積性蛍光体シート５０の支持体５１に形成された隣り合う輝尽性蛍光体層領域５２の間の距離に等しい１ピッチだけ、移動させる。
【０２３１】
リニアエンコーダ１２７から入力された光学ヘッド９５の位置検出信号に基づいて、光学ヘッド９５が、蓄積性蛍光体シート５０の支持体５１に形成された隣り合う輝尽性蛍光体層領域５２の間の距離に等しい１ピッチだけ、移動されて、第１のレーザ励起光源８１から発せられるレーザ光８４を、蓄積性蛍光体シート５０の支持体５１に形成された第１の輝尽性蛍光体層領域５２に隣り合う第２の輝尽性蛍光体層領域５２に照射可能な位置に移動したことが確認されると、コントロールユニット１３０は、第１のレーザ励起光源８１に駆動信号を出力して、第１のレーザ励起光源８１をオンさせて、レーザ光８４によって、蓄積性蛍光体シート５０の支持体５１に形成された第１の輝尽性蛍光体層領域５２に隣り合う第２の輝尽性蛍光体層領域５２に含まれている輝尽性蛍光体を励起する。
【０２３２】
同様にして、所定の時間にわたり、第１のレーザ励起光源８１から発せられたレーザ光８４が、蓄積性蛍光体シート５０の支持体５１に形成された第２の輝尽性蛍光体層領域５２に照射され、第２の輝尽性蛍光体層領域５２に含まれている輝尽性蛍光体が励起されて、第２の輝尽性蛍光体層領域５２から放出された輝尽光１０５が、フォトマルチプライア１１０によって、光電的に検出されて、アナログデータが生成され、Ａ／Ｄ変換器１１３によって、ディジタル化されて、第２の輝尽性蛍光体層領域５２に記録された放射線データから、生化学解析用データが生成されると、コントロールユニット１３０は、第１のレーザ励起光源８１に駆動停止信号を出力して、第１のレーザ励起光源８１をオフさせるとともに、主走査ステッピングモータ１２５に、駆動信号を出力して、光学ヘッド９５を、蓄積性蛍光体シート５０の支持体５１に形成された隣り合う輝尽性蛍光体層領域５２の間の距離に等しい１ピッチだけ、移動させる。
【０２３３】
こうして、光学ヘッド９５の間欠的な移動に同期して、第１のレーザ励起光源８１のオン・オフが繰り返され、リニアエンコーダ１２７から入力された光学ヘッド９５の位置検出信号に基づき、光学ヘッド９５が、主走査方向に１ライン分だけ、移動され、蓄積性蛍光体シート５０の支持体５１に形成された第１ライン目の輝尽性蛍光体層領域５２のレーザ光８４による走査が完了したことが確認されると、コントロールユニット１３０は、主走査ステッピングモータ１２５に駆動信号を出力して、光学ヘッド９５を元の位置に復帰させるとともに、副走査パルスモータ１２１に駆動信号を出力して、移動可能な基板１２３を、副走査方向に、１ライン分だけ、移動させる。
【０２３４】
リニアエンコーダ１２７から入力された光学ヘッド９５の位置検出信号に基づいて、光学ヘッド９５が元の位置に復帰され、また、移動可能な基板１２３が、副走査方向に、１ライン分だけ、移動されたことが確認されると、コントロールユニット１３０は、蓄積性蛍光体シート５０の支持体５１に形成された第１ライン目の輝尽性蛍光体層領域５２に、順次、第１のレーザ励起光源８１から発せられるレーザ光８４を照射したのと全く同様にして、蓄積性蛍光体シート５０の支持体５１に形成された第２ライン目の輝尽性蛍光体層領域５２に、順次、第１のレーザ励起光源８１から発せられるレーザ光８４を照射して、第２ライン目の輝尽性蛍光体層領域５２に含まれている輝尽性蛍光体を励起し、第２ライン目の輝尽性蛍光体層領域５２から発せられた輝尽光１０５を、順次、フォトマルチプライア１１０に、光電的に検出させる。
【０２３５】
フォトマルチプライア１１０によって、輝尽光１０５が光電的に検出されて、生成されたアナログデータは、Ａ／Ｄ変換器１１３に出力され、ディジタル化されて、蓄積性蛍光体シート５０の支持体５１に形成された輝尽性蛍光体層領域５２に記録された放射線データから、生化学解析用データが生成される。
【０２３６】
こうして、蓄積性蛍光体シート５０の支持体５１に形成されたすべての輝尽性蛍光体層領域５２が、第１のレーザ励起光源８１から放出されたレーザ光８４によって走査され、輝尽性蛍光体層領域５２に含まれている輝尽性蛍光体が励起されて、放出された輝尽光１０５が、フォトマルチプライア１１０によって光電的に検出され、生成されたアナログデータが、Ａ／Ｄ変換器１１３によって、ディジタル化され、各輝尽性蛍光体層領域５２に記録された放射線データから、生化学解析用データが生成されて、データ処理装置１１４に出力されると、コントロールユニット１３０から、駆動停止信号が、第１のレーザ励起光源８１に出力され、第１のレーザ励起光源８１の駆動が停止される。
【０２３７】
こうして、蓄積性蛍光体シート５０の多数の輝尽性蛍光体層領域５２に記録された放射線データから、生化学解析用データが生成されると、コントロールユニット１３０は、主走査ステッピングモータ１２５に駆動信号を出力して、光学ヘッド９５を元の位置に復帰させるとともに、副走査パルスモータ１２１に駆動信号を出力して、移動可能な基板１２３を、副走査方向に、２ライン分だけ、移動させる。
【０２３８】
リニアエンコーダ１２７から入力された光学ヘッド９５の位置検出信号に基づいて、光学ヘッド９５が元の位置に復帰され、また、移動可能な基板１２３が、副走査方向に、２ライン分だけ、移動されたことが確認されると、コントロールユニット１３０は、主走査ステッピングモータ１２５に駆動信号を出力して、光学ヘッド９５を主走査方向に移動させる。
【０２３９】
リニアエンコーダ１２７から入力される光学ヘッド９５の位置検出信号に基づき、蓄積性蛍光体シート５０の支持体５１に形成されている複数のＩＤデータ記録用の輝尽性蛍光体層領域５７のうち、第１のＩＤデータ記録用の輝尽性蛍光体層領域５７に、レーザ光８４を照射可能な位置に、光学ヘッド９５が移動したことが確認されると、コントロールユニット１３０は、主走査ステッピングモータ１２５に停止信号を出力するとともに、第１のレーザ励起光源８１に、駆動信号を出力して、第１のレーザ励起光源８１を起動させ、６４０ｎｍの波長のレーザ光８４を発せさせる。
【０２４０】
第１のレーザ励起光源８１から発せられたレーザ光８４は、コリメータレンズ８５によって、平行な光とされた後、ミラー８６に入射して、反射される。
【０２４１】
ミラー８６によって反射されたレーザ光８４は、第１のダイクロイックミラー８７および第２のダイクロイックミラー８８を透過し、ミラー８９に入射する。
【０２４２】
ミラー８９に入射したレーザ光８４は、ミラー８９によって反射されて、さらに、ミラー９２に入射して、反射される。
【０２４３】
ミラー９２によって反射されたレーザ光８４は、穴開きミラー９４の穴９３を通過して、凹面ミラー９８に入射する。
【０２４４】
凹面ミラー９８に入射したレーザ光８４は、凹面ミラー９８によって反射されて、光学ヘッド９５に入射する。
【０２４５】
光学ヘッド９５に入射したレーザ光８４は、ミラー９６によって反射され、非球面レンズ９７によって、ステージ１００ガラス板１０１上に載置された蓄積性蛍光体シート５０の第１のＩＤデータ記録用の輝尽性蛍光体層領域５７に集光される。
【０２４６】
本実施態様においては、複数のＩＤデータ記録用の輝尽性蛍光体層領域５７は、それぞれ、光エネルギーを減衰させる性質を有するステンレス製の支持体５１に形成された複数の貫通孔５６内に、輝尽性蛍光体が充填されて、形成されているから、各ＩＤデータ記録用の輝尽性蛍光体層領域５７内で、レーザ光８４が散乱して、隣り合ったＩＤデータ記録用の輝尽性蛍光体層領域５７あるいは輝尽性蛍光体層領域５２内に入射し、隣り合ったＩＤデータ記録用の輝尽性蛍光体層領域５７あるいは輝尽性蛍光体層領域５２に含まれている輝尽性蛍光体を励起することを、効果的に防止することが可能になる。
【０２４７】
レーザ光８４が、蓄積性蛍光体シート５０の支持体５１に形成された第１のＩＤデータ記録用の輝尽性蛍光体層領域５７に入射すると、第１のＩＤデータ記録用の輝尽性蛍光体層領域５７に含まれている輝尽性蛍光体が、レーザ光８４によって励起されて、第１のＩＤデータ記録用の輝尽性蛍光体層領域５２から、輝尽光１０５が放出される。
【０２４８】
ここに、本実施態様においては、蓄積性蛍光体シート５０の複数のＩＤデータ記録用の輝尽性蛍光体層領域５７は、ステンレス鋼製の支持体５１に、互いに離間して、形成された多数の貫通孔５６内に、輝尽性蛍光体を充填して、形成されており、ＩＤデータ記録用の輝尽性蛍光体層領域５７の周囲には、光エネルギーを減衰させる性質を有するステンレス鋼製の支持体５１が存在しているので、ＩＤデータ記録用の輝尽性蛍光体層領域５７に含まれている輝尽性蛍光体が励起されて、輝尽性蛍光体から放出された輝尽光１０５が、隣り合うＩＤデータ記録用の輝尽性蛍光体層領域５７あるいは輝尽性蛍光体層領域５２に含まれた輝尽性蛍光体が励起されて、放出された輝尽光１０５と混ざり合うことを確実に防止することができる。
【０２４９】
蓄積性蛍光体シート５０の第１のＩＤデータ記録用の輝尽性蛍光体領域５７から放出された輝尽光１０５は、光学ヘッド９５に設けられた非球面レンズ９７によって集光され、ミラー９６により、レーザ光８４の光路と同じ側に反射され、平行な光とされて、凹面ミラー９８に入射する。
【０２５０】
凹面ミラー９８に入射した輝尽光１０５は、凹面ミラー９８によって反射されて、穴開きミラー９４に入射する。
【０２５１】
穴開きミラー９４に入射した輝尽光１０５は、凹面ミラーによって形成された穴開きミラー９４によって、図９に示されるように、下方に反射され、フィルタユニット１０８のフィルタ１１２ｄに入射する。
【０２５２】
フィルタ１１２ｄは、輝尽性蛍光体から放出される輝尽光１０５の波長域の光のみを透過し、６４０ｎｍの波長の光をカットする性質を有しているので、励起光である６４０ｎｍの波長の光がカットされ、蓄積性蛍光体シート５０の第１のＩＤデータ記録用の輝尽性蛍光体層領域５７から放出された輝尽光１０５の波長域の光のみがフィルタ１１２ｄを透過して、フォトマルチプライア１１０によって、光電的に検出される。
【０２５３】
フォトマルチプライア１１０によって、輝尽光１０５が光電的に検出されて、生成されたアナログデータは、Ａ／Ｄ変換器１１３によって、ディジタル化されて、データ処理装置１１４に出力される。
【０２５４】
第１のレーザ励起光源８１がオンされた後、所定の時間が経過すると、コントロールユニット１３０は、第１のレーザ励起光源８１に駆動停止信号を出力して、第１のレーザ励起光源８１の駆動を停止させるとともに、主走査ステッピングモータ１２５に、駆動信号を出力して、光学ヘッド９５を、蓄積性蛍光体シート５０の支持体５１に形成された隣り合うＩＤデータ記録用の輝尽性蛍光体層領域５７の間の距離に等しい１ピッチだけ、移動させる。
【０２５５】
リニアエンコーダ１２７から入力された光学ヘッド９５の位置検出信号に基づいて、光学ヘッド９５が、蓄積性蛍光体シート５０の支持体５１に形成された隣り合うＩＤデータ記録用の輝尽性蛍光体層領域５７の間の距離に等しい１ピッチだけ、移動されて、第１のレーザ励起光源８１から発せられるレーザ光８４を、蓄積性蛍光体シート５０の支持体５１に形成された第１のＩＤデータ記録用の輝尽性蛍光体層領域５７に隣り合う第２のＩＤデータ記録用の輝尽性蛍光体層領域５７に照射可能な位置に移動したことが確認されると、コントロールユニット１３０は、第１のレーザ励起光源８１に駆動信号を出力して、第１のレーザ励起光源８１をオンさせて、レーザ光８４によって、蓄積性蛍光体シート５０の支持体５１に形成された第１のＩＤデータ記録用の輝尽性蛍光体層領域５７に隣り合う第２のＩＤデータ記録用の輝尽性蛍光体層領域５７に含まれている輝尽性蛍光体を励起する。
【０２５６】
同様にして、所定の時間にわたり、第１のレーザ励起光源８１から発せられたレーザ光８４が、蓄積性蛍光体シート５０の支持体５１に形成された第２のＩＤデータ記録用の輝尽性蛍光体層領域５７に照射され、第２のＩＤデータ記録用の輝尽性蛍光体層領域５７に含まれている輝尽性蛍光体が励起されて、第２のＩＤデータ記録用の輝尽性蛍光体層領域５７から放出された輝尽光１０５が、フォトマルチプライア１１０によって、光電的に検出されて、アナログデータが生成され、Ａ／Ｄ変換器１１３によって、ディジタル化されて、第２のＩＤデータ記録用の輝尽性蛍光体層領域５７に記録されたＩＤデータが読み取られると、コントロールユニット１３０は、第１のレーザ励起光源８１に駆動停止信号を出力して、第１のレーザ励起光源８１をオフさせるとともに、主走査ステッピングモータ１２５に、駆動信号を出力して、光学ヘッド９５を、蓄積性蛍光体シート５０の支持体５１に形成された隣り合うＩＤデータ記録用の輝尽性蛍光体層領域５７の間の距離に等しい１ピッチだけ、移動させる。
【０２５７】
こうして、光学ヘッド９５の間欠的な移動に同期して、第１のレーザ励起光源８１のオン・オフが繰り返され、リニアエンコーダ１２７から入力された光学ヘッド９５の位置検出信号に基づき、光学ヘッド９５が、主走査方向に移動され、蓄積性蛍光体シート５０の支持体５１に形成されたすべてのＩＤデータ記録用の輝尽性蛍光体層領域５７が、第１のレーザ励起光源８１から放出されたレーザ光８４によって走査され、ＩＤデータ記録用の輝尽性蛍光体層領域５７に含まれている輝尽性蛍光体が励起されて、放出された輝尽光１０５が、フォトマルチプライア１１０によって光電的に検出され、生成されたアナログデータが、Ａ／Ｄ変換器１１３によって、ディジタル化され、複数のＩＤデータ記録用の輝尽性蛍光体層領域５７に記録されたＩＤデータから、生化学解析用ユニット１に、どのような特異的結合物質を含む溶液が、どのようなパターンで、滴下されたかに関するＩＤデータが生成されて、データ処理装置１１４に出力されると、コントロールユニット１３０から、駆動停止信号が、第１のレーザ励起光源８１に出力されて、第１のレーザ励起光源８１の駆動が停止される。
【０２５８】
以上のようにして、スキャナによって、蓄積性蛍光体シート５０の多数の輝尽性蛍光体層領域５２に記録された放射性標識物質の放射線データが読み取られて、生化学解析用データが生成されるとともに、蓄積性蛍光体シート５０の複数のＩＤデータ記録用の輝尽性蛍光体層領域５７に記録されたＩＤデータが読み取られて、生化学解析用ユニット１に、どのような特異的結合物質を含む溶液が、どのようなパターンで、滴下されたかに関するＩＤデータが生成される。
【０２５９】
一方、生化学解析用ユニット１に形成された多数の吸着性領域４に記録された蛍光物質の蛍光データを読み取って、生化学解析用ディジタルデータを生成するときは、まず、ユーザーによって、サンプルステージ１００に形成された２つの位置合わせ用ピン１０２、１０２が、生化学解析用ユニット１の基板２に形成された２つの位置合わせ用貫通孔５、５内に挿通されるように、生化学解析用ユニット１が、サンプルステージ１００のガラス板１０１上に載置される。
【０２６０】
次いで、ユーザーによって、キーボード１３１に、標識物質である蛍光物質の種類が特定され、生化学解析用ユニット１の多数の吸着性領域４に記録された蛍光データを読み取るべき旨の指示信号が入力される。
【０２６１】
キーボード１３１に入力された指示信号は、コントロールユニット１３０に入力され、コントロールユニット１３０は、指示信号を受けると、メモリ（図示せず）に記憶されているテーブルにしたがって、使用すべきレーザ励起光源を決定するとともに、フィルタ１１２ａ、１５２ｂ、１５２ｃ、１５２ｄのいずれを蛍光１０５の光路内に位置させるかを決定する。
【０２６２】
たとえば、生体由来の物質を標識する蛍光物質として、５３２ｎｍの波長のレーザによって、最も効率的に励起することのできるローダミン（登録商標）が使用され、その旨が、キーボード１３１に入力されたときは、コントロールユニット１３０は、第２のレーザ励起光源８２を選択するとともに、フィルタ１１２ｂを選択し、フィルタユニットモータ１３２に駆動信号を出力して、フィルタユニット１０８を移動させ、５３２ｎｍの波長の光をカットし、５３２ｎｍよりも波長の長い光を透過する性質を有するフィルタ１１２ｂを備えたフィルタ部材１１１ｂを、生化学解析用ユニット１から放出されるべき蛍光１０５の光路内に位置させる。
【０２６３】
さらに、コントロールユニット１３０は、主走査ステッピングモータ１２５に駆動信号を出力し、光学ヘッド９５を主走査方向に移動させ、リニアエンコーダから入力される光学ヘッド９５の位置検出信号に基づいて、生化学解析用ユニット１の基板２に形成された多数の吸着性領域４のうち、第１の吸着性領域４に、レーザ光８４を照射可能な位置に、光学ヘッド９５が達したことが確認されると、主走査ステッピングモータ１２５に停止信号を出力するとともに、第２のレーザ励起光源８２に駆動信号を出力して、第２のレーザ励起光源８２を起動させ、５３２ｎｍの波長のレーザ光８４を発せさせる。
【０２６４】
第２のレーザ励起光源８２から発せられたレーザ光８４は、コリメータレンズ９０によって、平行な光とされた後、第１のダイクロイックミラー８７に入射して、反射される。
【０２６５】
第１のダイクロイックミラー８７によって反射されたレーザ光８４は、第２のダイクロイックミラー８８を透過し、ミラー８９に入射する。
【０２６６】
ミラー８９に入射したレーザ光８４は、ミラー８９によって反射されて、さらに、ミラー９２に入射して、反射される。
【０２６７】
ミラー９２によって反射されたレーザ光８４は、穴開きミラー９４の穴９３を通過して、凹面ミラー９８に入射する。
【０２６８】
凹面ミラー９８に入射したレーザ光８４は、凹面ミラー９８によって反射されて、光学ヘッド９５に入射する。
【０２６９】
光学ヘッド９５に入射したレーザ光８４は、ミラー９６によって反射され、非球面レンズ９７によって、ステージ１００ガラス板１０１上に載置された生化学解析用ユニット１に集光される。
【０２７０】
本実施態様においては、生化学解析用ユニット１の多数の吸着性領域４は、それぞれ、光エネルギーを減衰させる性質を有するステンレス製の基板２に形成された複数の貫通孔３内に、ナイロン６が充填されて、形成されているから、各吸着性領域４内で、レーザ光８４が散乱して、隣り合った吸着性領域４内に入射し、隣り合った吸着性領域４に含まれている蛍光物質を励起することを、効果的に防止することが可能になる。
【０２７１】
生化学解析用ユニット１の基板２に形成された第１の吸着性領域４に、レーザ光８４が入射すると、レーザ光８４によって、第１の吸着性領域４に含まれた蛍光色素などの蛍光物質、たとえば、ローダミンが励起されて、蛍光１０５が発せられる。
【０２７２】
ここに、本実施態様においては、生化学解析用ユニット１の多数の吸着性領域４は、ステンレス鋼製の基板２に、互いに離間して、形成された多数の貫通孔３内に、ナイロン６を充填して、形成されており、吸着性領域４の周囲には、光エネルギーを減衰させる性質を有するステンレス鋼製の基板２が存在しているので、吸着性領域４に含まれている蛍光物質が励起されて、蛍光物質から放出された蛍光１０５が、隣り合う吸着性領域４に含まれた蛍光物質が励起されて、放出された蛍光１０５と混ざり合うことを確実に防止することができる。
【０２７３】
第１の吸着性領域４に含まれているローダミンから放出された蛍光１０５は、光学ヘッド９５に設けられた非球面レンズ９７によって集光され、ミラー９６によって、レーザ光８４の光路と同じ側に反射され、平行な光とされて、凹面ミラー９８に入射する。
【０２７４】
凹面ミラー９８に入射した蛍光１０５は、凹面ミラー９８によって反射されて、穴開きミラー９４に入射する。
【０２７５】
穴開きミラー９４に入射した蛍光１０５は、凹面ミラーによって形成された穴開きミラー９４によって、図９に示されるように、下方に反射され、フィルタユニット１０８のフィルタ１１２ｂに入射する。
【０２７６】
フィルタ１１２ｂは、５３２ｎｍの波長の光をカットし、５３２ｎｍよりも波長の長い光を透過する性質を有しているので、励起光である５３２ｎｍの波長の光がカットされ、ローダミンから放出された蛍光１０５の波長域の光のみがフィルタ１１２ｂを透過して、フォトマルチプライア１１０によって、光電的に検出される。
【０２７７】
フォトマルチプライア１１０によって光電的に検出されて、生成されたアナログ信号は、Ａ／Ｄ変換器１１３に出力されて、ディジタル信号に変換され、データ処理装置１１４に出力される。
【０２７８】
第２のレーザ励起光源８２がオンされた後、所定の時間が経過すると、コントロールユニット１３０は、第２のレーザ励起光源８２に駆動停止信号を出力して、第２のレーザ励起光源８２の駆動を停止させるとともに、主走査ステッピングモータ１２５に、駆動信号を出力して、光学ヘッド９５を、生化学解析用ユニット１の基板２に形成された隣り合う吸着性領域４間の距離に等しいピッチだけ、移動させる。
【０２７９】
リニアエンコーダ１２７から入力された光学ヘッド９５の位置検出信号に基づいて、光学ヘッド９５が、生化学解析用ユニット１の基板２に形成された隣り合う吸着性領域４の間の距離に等しい１ピッチだけ移動されて、第２のレーザ励起光源８２から発せられるレーザ光８４を、生化学解析用ユニット１の基板２に形成された第２の吸着性領域４に照射可能な位置に移動したことが確認されると、コントロールユニット１３０は、第２のレーザ励起光源８２に駆動信号を出力して、第２のレーザ励起光源８２をオンさせて、レーザ光８４によって、生化学解析用ユニット１の基板２に形成された第２の吸着性領域４に含まれている蛍光物質、たとえば、ローダミンを励起する。
【０２８０】
同様にして、所定の時間にわたり、レーザ光８４が、生化学解析用ユニット１の基板２に形成された第２の吸着性領域４に照射され、第２の吸着性領域４から放出された蛍光１０５が、フォトマルチプライア１１０によって、光電的に検出されて、アナログデータが生成されると、コントロールユニット１３０は、第２のレーザ励起光源８２にオフ信号を出力して、第２のレーザ励起光源８２をオフさせるとともに、主走査ステッピングモータ１２５に、駆動信号を出力して、光学ヘッド９５を、生化学解析用ユニット１に形成された隣り合う吸着性領域４の間の距離に等しい１ピッチだけ、移動させる。
【０２８１】
こうして、光学ヘッド９５の間欠的な移動に同期して、第１のレーザ励起光源８１のオン・オフが繰り返され、リニアエンコーダ１２７から入力された光学ヘッド９５の位置検出信号に基づき、光学ヘッド９５が、主走査方向に１ライン分だけ、移動され、生化学解析用ユニット１の基板２に形成された第１ライン目のすべての吸着性領域４を、レーザ光８４により、走査したことが確認されると、コントロールユニット１３０は、主走査ステッピングモータ１２５に駆動信号を出力して、光学ヘッド９５を元の位置に復帰させるとともに、副走査パルスモータ１２１に駆動信号を出力して、移動可能な基板１２３を、副走査方向に、１ライン分だけ、移動させる。
【０２８２】
リニアエンコーダ１２７から入力された光学ヘッド９５の位置検出信号に基づいて、光学ヘッド９５が元の位置に復帰され、また、移動可能な基板１２３が、副走査方向に、１ライン分だけ、移動されたことが確認されると、コントロールユニット１３０は、生化学解析用ユニット１の基板２に形成された第１ライン目の吸着性領域４に、順次、第２のレーザ励起光源８２から発せられるレーザ光８４を照射したのと全く同様にして、生化学解析用ユニット１の基板２に形成された第２ライン目の吸着性領域４に含まれているローダミンを励起し、第２ライン目の吸着性領域４から放出された蛍光１０５を、順次、フォトマルチプライア１１０によって、光電的に検出させる。
【０２８３】
フォトマルチプライア１１０によって光電的に検出されて、生成されたアナログデータは、Ａ／Ｄ変換器１１３によって、ディジタルデータに変換されて、データ処理装置１１４に送られる。
【０２８４】
以上のようにして、生化学解析用ユニット１の基板２に形成されたすべての吸着性領域４が、第２のレーザ励起光源８２から放出されたレーザ光８４によって走査され、生化学解析用ユニット１の基板２に形成された多数の吸着性領域４に含まれているローダミンが励起されて、放出された蛍光１０５が、フォトマルチプライア１１０によって光電的に検出され、生成されたアナログデータが、Ａ／Ｄ変換器１１３によって、ディジタルデータに変換されて、データ処理装置１１４に送られると、コントロールユニット１３０から、駆動停止信号が、第２のレーザ励起光源８２に出力され、第２のレーザ励起光源８２の駆動が停止される。
【０２８５】
こうして、生化学解析用ユニット１の基板２に形成された多数の吸着性領域４に記録された蛍光データから、生化学解析用データが生成されると、コントロールユニット１３０は、主走査ステッピングモータ１２５に駆動信号を出力して、光学ヘッド９５を元の位置に復帰させるとともに、副走査パルスモータ１２１に駆動信号を出力して、移動可能な基板１２３を、副走査方向に、２ライン分だけ、移動させる。
【０２８６】
リニアエンコーダ１２７から入力された光学ヘッド９５の位置検出信号に基づいて、光学ヘッド９５が元の位置に復帰され、また、移動可能な基板１２３が、副走査方向に、２ライン分だけ、移動されたことが確認されると、コントロールユニット１３０は、主走査ステッピングモータ１２５に駆動信号を出力して、光学ヘッド９５を主走査方向に移動させる。
【０２８７】
リニアエンコーダ１２７から入力される光学ヘッド９５の位置検出信号に基づき、生化学解析用ユニット１の基板２に形成されている複数のＩＤデータ記録用の吸着性領域７のうち、第１のＩＤデータ記録用の吸着性領域７に、レーザ光８４を照射可能な位置に、光学ヘッド９５が移動したことが確認されると、コントロールユニット１３０は、主走査ステッピングモータ１２５に停止信号を出力するとともに、第２のレーザ励起光源８２に、駆動信号を出力して、第２のレーザ励起光源８２を起動させ、５３２ｎｍの波長のレーザ光８４を発せさせる。
【０２８８】
第２のレーザ励起光源８２から発せられたレーザ光８４は、コリメータレンズ９０によって、平行な光とされた後、第１のダイクロイックミラー８７に入射して、反射される。
【０２８９】
第１のダイクロイックミラー８７によって反射されたレーザ光８４は、第２のダイクロイックミラー８８を透過し、ミラー８９に入射する。
【０２９０】
ミラー８９に入射したレーザ光８４は、ミラー８９によって反射されて、さらに、ミラー９２に入射して、反射される。
【０２９１】
ミラー９２によって反射されたレーザ光８４は、穴開きミラー９４の穴９３を通過して、凹面ミラー９８に入射する。
【０２９２】
凹面ミラー９８に入射したレーザ光８４は、凹面ミラー９８によって反射されて、光学ヘッド９５に入射する。
【０２９３】
光学ヘッド９５に入射したレーザ光８４は、ミラー９６によって反射され、非球面レンズ９７によって、ステージ１００ガラス板１０１上に載置された生化学解析用ユニット１に集光される。
【０２９４】
本実施態様においては、生化学解析用ユニット１の複数のＩＤデータ記録用の吸着性領域７は、それぞれ、光エネルギーを減衰させる性質を有するステンレス製の基板２に形成された複数の貫通孔３内に、ナイロン６が充填されて、形成されているから、各ＩＤデータ記録用の吸着性領域７内で、レーザ光８４が散乱して、隣り合ったＩＤデータ記録用の吸着性領域７あるいは吸着性領域４内に入射し、隣り合ったＩＤデータ記録用の吸着性領域７あるいは吸着性領域４に含まれている蛍光物質を励起することを、効果的に防止することが可能になる。
【０２９５】
生化学解析用ユニット１の基板２に形成された第１のＩＤデータ記録用の吸着性領域７に、レーザ光８４が入射すると、レーザ光８４によって、第１のＩＤデータ記録用の吸着性領域４に含まれた蛍光色素などの蛍光物質、たとえば、ローダミンが励起されて、蛍光１０５が発せられる。
【０２９６】
ここに、本実施態様においては、生化学解析用ユニット１の複数のＩＤデータ記録用の吸着性領域７は、ステンレス鋼製の基板２に、互いに離間して、形成された多数の貫通孔３内に、ナイロン６を充填して、形成されており、ＩＤデータ記録用の吸着性領域７の周囲には、光エネルギーを減衰させる性質を有するステンレス鋼製の基板２が存在しているので、ＩＤデータ記録用の吸着性領域７に含まれている蛍光物質が励起されて、蛍光物質から放出された蛍光１０５が、隣り合うＩＤデータ記録用の吸着性領域７あるいは吸着性領域４に含まれた蛍光物質が励起されて、放出された蛍光１０５と混ざり合うことを確実に防止することができる。
【０２９７】
第１のＩＤデータ記録用の吸着性領域７に含まれているローダミンから放出された蛍光１０５は、光学ヘッド９５に設けられた非球面レンズ９７によって集光され、ミラー９６によって、レーザ光８４の光路と同じ側に反射され、平行な光とされて、凹面ミラー９８に入射する。
【０２９８】
凹面ミラー９８に入射した蛍光１０５は、凹面ミラー９８によって反射されて、穴開きミラー９４に入射する。
【０２９９】
穴開きミラー９４に入射した蛍光１０５は、凹面ミラーによって形成された穴開きミラー９４によって、図９に示されるように、下方に反射され、フィルタユニット１０８のフィルタ１１２ｂに入射する。
【０３００】
フィルタ１１２ｂは、５３２ｎｍの波長の光をカットし、５３２ｎｍよりも波長の長い光を透過する性質を有しているので、励起光である５３２ｎｍの波長の光がカットされ、第１のＩＤデータ記録用の吸着性領域７に含まれたローダミンから放出された蛍光１０５の波長域の光のみがフィルタ１１２ｂを透過して、フォトマルチプライア１１０によって、光電的に検出される。
【０３０１】
フォトマルチプライア１１０によって光電的に検出されて、生成されたアナログ信号は、Ａ／Ｄ変換器１１３に出力されて、ディジタル信号に変換され、データ処理装置１１４に出力される。
【０３０２】
第２のレーザ励起光源８２がオンされた後、所定の時間が経過すると、コントロールユニット１３０は、第２のレーザ励起光源８２に駆動停止信号を出力して、第２のレーザ励起光源８２の駆動を停止させるとともに、主走査ステッピングモータ１２５に、駆動信号を出力して、光学ヘッド９５を、生化学解析用ユニット１の基板２に形成された隣り合うＩＤデータ記録用の吸着性領域７の間の距離に等しい１ピッチだけ、移動させる。
【０３０３】
リニアエンコーダ１２７から入力された光学ヘッド９５の位置検出信号に基づいて、光学ヘッド９５が、生化学解析用ユニット１の基板２に形成された隣り合うＩＤデータ記録用の吸着性領域７の間の距離に等しい１ピッチだけ、移動されて、第２のレーザ励起光源８２から発せられるレーザ光８４を、生化学解析用ユニット１の基板２に形成された第１のＩＤデータ記録用の吸着性領域７に隣り合う第２のＩＤデータ記録用の吸着性領域７に照射可能な位置に移動したことが確認されると、コントロールユニット１３０は、第２のレーザ励起光源８２に駆動信号を出力して、第２のレーザ励起光源８２をオンさせて、レーザ光８４によって、生化学解析用ユニット１の基板２に形成された第１のＩＤデータ記録用の吸着性領域７に隣り合う第２のＩＤデータ記録用の吸着性領域７に含まれている蛍光物質を励起する。
【０３０４】
同様にして、所定の時間にわたり、第２のレーザ励起光源８２から発せられたレーザ光８４が、生化学解析用ユニット１の基板２に形成された第２のＩＤデータ記録用の吸着性領域７に照射され、第２のＩＤデータ記録用の吸着性領域７に含まれている蛍光物質が励起されて、第２のＩＤデータ記録用の吸着性領域７から放出された蛍光１０５が、フォトマルチプライア１１０によって、光電的に検出されて、アナログデータが生成され、Ａ／Ｄ変換器１１３によって、ディジタル化されて、第２のＩＤデータ記録用の吸着性領域７に記録されたＩＤデータが読み取られると、コントロールユニット１３０は、第２のレーザ励起光源８２に駆動停止信号を出力して、第２のレーザ励起光源８２をオフさせるとともに、主走査ステッピングモータ１２５に、駆動信号を出力して、光学ヘッド９５を、生化学解析用ユニット１の基板２に形成された隣り合うＩＤデータ記録用の吸着性領域７の間の距離に等しい１ピッチだけ、移動させる。
【０３０５】
こうして、光学ヘッド９５の間欠的な移動に同期して、第２のレーザ励起光源８２のオン・オフが繰り返され、リニアエンコーダ１２７から入力された光学ヘッド９５の位置検出信号に基づき、光学ヘッド９５が、主走査方向に移動され、生化学解析用ユニット１の基板２に形成されたすべてのＩＤデータ記録用の吸着性領域７が、第２のレーザ励起光源８２から放出されたレーザ光８４によって走査され、ＩＤデータ記録用の吸着性領域７に含まれている蛍光物質が励起されて、放出された蛍光１０５が、フォトマルチプライア１１０によって光電的に検出され、生成されたアナログデータが、Ａ／Ｄ変換器１１３によって、ディジタル化され、複数のＩＤデータ記録用の吸着性領域７に記録されたＩＤデータから、生化学解析用ユニット１に、どのような特異的結合物質を含む溶液が、どのようなパターンで、滴下されたかに関するＩＤデータが生成されて、データ処理装置１１４に出力されると、コントロールユニット１３０から、駆動停止信号が、第１のレーザ励起光源８１に出力され、第１のレーザ励起光源８１の駆動が停止される。
【０３０６】
以上のようにして、スキャナによって、生化学解析用ユニット１の多数の吸着性領域４に記録された蛍光物質の蛍光データが読み取られて、生化学解析用データが生成されるとともに、生化学解析用ユニット１の複数のＩＤデータ記録用の吸着性領域７に記録されたＩＤデータが読み取られて、生化学解析用ユニット１に、どのような特異的結合物質を含む溶液が、どのようなパターンで、滴下されたかに関するＩＤデータが生成される。
【０３０７】
本実施態様によれば、生化学解析用ユニット１の基板には、生化学解析に用いる特異的結合物質を含む溶液を滴下する吸着性領域４に加えて、複数のＩＤデータ記録用の吸着性領域７が形成されており、生化学解析用ユニット１の基板に形成された多数の吸着性領域４に、特異的結合物質を含む溶液を滴下するスポッティング装置を用いて、生化学解析用ユニット１の基板に形成された複数のＩＤデータ記録用の吸着性領域７に、すべての生体由来の物質を特異的に結合する特異的結合物質を含む濃度の異なる溶液を滴下して、生化学解析用ユニット１に、どのような特異的結合物質を含む溶液が、どのようなパターンで、滴下されたかに関するＩＤデータを、複数のＩＤデータ記録用の吸着性領域７に記録するように構成されているから、放射性標識物質および蛍光物質によって標識された生体由来の物質を、生化学解析用ユニット１の多数の吸着性領域４に吸着されている特異的結合物質に、選択的に、ハイブリダイズさせる際に、放射性標識物質および蛍光物質によって標識された生体由来の物質を、複数のＩＤデータ記録用の吸着性領域７に吸着されている特異的結合物質にハイブリダイズさせて、放射性標識物質および蛍光物質によって標識し、生化学解析用ユニット１に、どのような特異的結合物質を含む溶液が、どのようなパターンで、滴下されたかに関するＩＤデータを、複数のＩＤデータ記録用の吸着性領域７に記録することができる。
【０３０８】
したがって、スキャナを用いて、生化学解析用ユニット１の基板２に形成された多数の吸着性領域４に記録されている蛍光データを読み取って、生化学解析用データを生成する際に、同時に、複数のＩＤデータ記録用の吸着性領域７に記録されているＩＤデータを読み取って、生化学解析用ユニット１に、どのような特異的結合物質を含む溶液が、どのようなパターンで、滴下されたかに関するＩＤデータを生成し、生成された生化学解析用データと照合して、生化学解析を実行することが可能になる。
【０３０９】
また、蓄積性蛍光体シート５０の支持体５１に、放射線データを記録する多数の輝尽性蛍光体層領域５２に加えて、複数のＩＤデータ記録用の輝尽性蛍光体層領域５７を形成し、生化学解析用ユニット１と蓄積性蛍光体シート５０とを重ね合わせて、生化学解析用ユニット１の多数の吸着性領域４に記録されている放射線データを、蓄積性蛍光体シート５０の支持体５１に形成された多数の輝尽性蛍光体層領域５２に転写する際に、放射性標識物質によって、生化学解析用ユニット１の複数のＩＤデータ記録用の吸着性領域７に記録されているＩＤデータを、蓄積性蛍光体シート５０の支持体５１に形成された複数のＩＤデータ記録用の輝尽性蛍光体層領域５７に転写しているから、スキャナを用いて、蓄積性蛍光体シート５０の支持体５１に形成された多数の輝尽性蛍光体層領域５２に記録されている放射線データを読み取って、生化学解析用データを生成する際に、同時に、放射性標識物質によって、複数のＩＤデータ記録用の輝尽性蛍光体層領域５７に記録されているＩＤデータを読み取って、生化学解析用ユニット１に、どのような特異的結合物質を含む溶液が、どのようなパターンで、滴下されたかに関するＩＤデータを生成し、生成された生化学解析用データと照合して、生化学解析を実行することが可能になる。
【０３１０】
したがって、本実施態様によれば、生化学解析用ユニット１の基板２に形成された多数の吸着性領域４に、特異的結合物質を含む溶液を滴下するときに、生化学解析用ユニット１に、どのような特異的結合物質を含む溶液が、どのようなパターンで、滴下されたかに関するＩＤデータが、多数の吸着性領域４に、特異的結合物質を含む溶液を滴下するのに用いるスポッティング装置を用いて、生化学解析用ユニット１の基板２に形成された複数のＩＤデータ記録用の吸着性領域７に記録されるから、生化学解析用ユニット１に、どのような特異的結合物質を含む溶液が、どのようなパターンで、滴下されたかに関する誤ったＩＤデータが、生化学解析用ユニット１に付与されることを、確実に防止することができ、生化学解析の信頼性を大幅に向上させることが可能になる。
【０３１１】
また、本実施態様によれば、スキャナによって、放射線データおよび蛍光データを読み取って、生化学解析用データを生成する際に、同じスキャナによって、ＩＤデータが読み取られて、生化学解析用ユニット１に、どのような特異的結合物質を含む溶液が、どのようなパターンで、滴下されたかに関するＩＤデータが生成されるように構成されているから、バーコードリーダーなどの別個の装置を用いて、ＩＤデータを読み取る必要がなく、しわめて簡易に、生化学解析用ユニット１に、どのような特異的結合物質を含む溶液が、どのようなパターンで、滴下されたかに関するＩＤデータを読み取って、生化学解析用データと照合し、生化学解析を実行することが可能になる。
【０３１２】
本発明は、以上の実施態様に限定されることなく、特許請求の範囲に記載された発明の範囲内で種々の変更が可能であり、それらも本発明の範囲内に包含されるものであることはいうまでもない。
【０３１３】
たとえば、前記実施態様においては、スポッティング装置を用いて、生化学解析用ユニット１の基板２に形成された多数の吸着性領域４に、特異的結合物質を含む溶液を滴下し、特異的結合物質を吸着させた後に、同じスポッティング装置を用いて、生化学解析用ユニット１の基板２に形成された複数のＩＤデータ記録用の吸着性領域７に、すべての生体由来の物質を特異的に結合する特異的結合物質を含む溶液を滴下するように構成されているが、スポッティング装置を用いて、生化学解析用ユニット１の基板２に形成された多数の吸着性領域４に、特異的結合物質を含む溶液を滴下するのに先立って、スポッティング装置を用いて、生化学解析用ユニット１の基板２に形成された複数のＩＤデータ記録用の吸着性領域７に、すべての生体由来の物質を特異的に結合する特異的結合物質を含む溶液を滴下するようにしてもよい。
【０３１４】
また、前記実施態様においては、生化学解析用ユニット１の基板２に形成された複数のＩＤデータ記録用の吸着性領域７に、すべての生体由来の物質を特異的に結合する特異的結合物質を含む濃度の異なる溶液を滴下して、生化学解析用ユニット１に、どのような特異的結合物質を含む溶液が、どのようなパターンで、滴下されたかに関するＩＤデータを、複数のＩＤデータ記録用の吸着性領域７に記録するように構成されているが、生化学解析用ユニット１の基板２に形成された複数のＩＤデータ記録用の吸着性領域７の一部に、すべての生体由来の物質を特異的に結合する特異的結合物質を含む同じ濃度の溶液を滴下し、すべての生体由来の物質を特異的に結合する特異的結合物質が吸着されているＩＤデータ記録用の吸着性領域７と、すべての生体由来の物質を特異的に結合する特異的結合物質が吸着されていないＩＤデータ記録用の吸着性領域７とのパターンによって、生化学解析用ユニット１に、どのような特異的結合物質を含む溶液が、どのようなパターンで、滴下されたかに関するＩＤデータを記録することもできる。
【０３１５】
さらに、前記実施態様においては、放射性標識物質によって標識された生体由来の物質および蛍光色素などの蛍光物質によって標識された生体由来の物質を含むハイブリダイゼーション反応溶液４１が調製され、生化学解析用ユニット１の基板２に形成された多数の吸着性領域４に、放射線データおよび蛍光データを記録し、放射線データおよび蛍光データを読み取って、生化学解析用データを生成するように構成されているが、放射性標識物質によって標識された生体由来の物質および蛍光色素などの蛍光物質によって標識された生体由来の物質に加えて、あるいは、放射性標識物質によって標識された生体由来の物質および蛍光色素などの蛍光物質によって標識された生体由来の物質の一方もしくは双方に代えて、化学発光基質と接触させることによって化学発光を生じさせる標識物質によって標識された生体由来の物質を含むハイブリダイゼーション反応溶液４１を調製して、生化学解析用ユニット１の基板２に形成された多数の吸着性領域４に、放射線データおよび蛍光データに加えて、あるいは、放射線データおよび蛍光データの一方もしくは双方に代えて、化学発光データを記録し、放射線データおよび蛍光データに加えて、あるいは、放射線データおよび蛍光データの一方もしくは双方に代えて、化学発光データを読み取って、生化学解析用データを生成するように構成することもできる。
【０３１６】
また、前記実施態様においては、生化学解析用ユニット１の基板２に形成された複数のＩＤデータ記録用の吸着性領域７に、すべての生体由来の物質を特異的に結合する特異的結合物質を含む濃度の異なる溶液を滴下して、生化学解析用ユニット１に、どのような特異的結合物質を含む溶液が、どのようなパターンで、滴下されたかに関するＩＤデータを、複数のＩＤデータ記録用の吸着性領域７に記録するように構成されているが、生化学解析用ユニット１の多数の吸着性領域４に、放射線データを記録する場合には、多数の吸着性領域４に、特異的結合物質を含む溶液を滴下するのに用いるスポッティング装置を用いて、生体由来の物質を標識するのに用いる放射性標識物質と同じ放射性標識物質を含む濃度の異なる溶液を、生化学解析用ユニット１の基板２に形成された複数のＩＤデータ記録用の吸着性領域７に滴下して生化学解析用ユニット１に、どのような特異的結合物質を含む溶液が、どのようなパターンで、滴下されたかに関するＩＤデータを、複数のＩＤデータ記録用の吸着性領域７に記録することもでき、同じ濃度の放射性標識物質を含む溶液を、生化学解析用ユニット１の基板２に形成された複数のＩＤデータ記録用の吸着性領域７の一部に滴下し、放射性標識物質が吸着されているＩＤデータ記録用の吸着性領域７と、放射性標識物質が吸着されていないＩＤデータ記録用の吸着性領域７とのパターンによって、生化学解析用ユニット１に、どのような特異的結合物質を含む溶液が、どのようなパターンで、滴下されたかに関するＩＤデータを記録することもできる。
【０３１７】
さらに、前記実施態様においては、生化学解析用ユニット１の基板２に形成された複数のＩＤデータ記録用の吸着性領域７に、すべての生体由来の物質を特異的に結合する特異的結合物質を含む濃度の異なる溶液を滴下して、生化学解析用ユニット１に、どのような特異的結合物質を含む溶液が、どのようなパターンで、滴下されたかに関するＩＤデータを、複数のＩＤデータ記録用の吸着性領域７に記録するように構成されているが、生化学解析用ユニット１の多数の吸着性領域４に、蛍光データを記録する場合には、多数の吸着性領域４に、特異的結合物質を含む溶液を滴下するのに用いるスポッティング装置を用いて、生体由来の物質を標識するのに用いる蛍光物質と同じ蛍光物質を含む濃度の異なる溶液を、生化学解析用ユニット１の基板２に形成された複数のＩＤデータ記録用の吸着性領域７に滴下して生化学解析用ユニット１に、どのような特異的結合物質を含む溶液が、どのようなパターンで、滴下されたかに関するＩＤデータを、複数のＩＤデータ記録用の吸着性領域７に記録することもでき、同じ濃度の蛍光物質を含む溶液を、生化学解析用ユニット１の基板２に形成された複数のＩＤデータ記録用の吸着性領域７の一部に滴下し、蛍光物質が吸着されているＩＤデータ記録用の吸着性領域７と、蛍光物質が吸着されていないＩＤデータ記録用の吸着性領域７とのパターンによって、生化学解析用ユニット１に、どのような特異的結合物質を含む溶液が、どのようなパターンで、滴下されたかに関するＩＤデータを記録することもできる。
【０３１８】
また、前記実施態様においては、生化学解析用ユニット１の基板２に形成された複数のＩＤデータ記録用の吸着性領域７に、すべての生体由来の物質を特異的に結合する特異的結合物質を含む濃度の異なる溶液を滴下して、生化学解析用ユニット１に、どのような特異的結合物質を含む溶液が、どのようなパターンで、滴下されたかに関するＩＤデータを、複数のＩＤデータ記録用の吸着性領域７に記録するように構成されているが、生化学解析用ユニット１の多数の吸着性領域４に、化学発光データを記録する場合には、多数の吸着性領域４に、特異的結合物質を含む溶液を滴下するのに用いるスポッティング装置を用いて、生体由来の物質を標識するのに用いる化学発光基質と接触させることによって化学発光を生じさせる標識物質と同じ標識物質を、を含む濃度の異なる溶液を、生化学解析用ユニット１の基板２に形成された複数のＩＤデータ記録用の吸着性領域７に滴下して生化学解析用ユニット１に、どのような特異的結合物質を含む溶液が、どのようなパターンで、滴下されたかに関するＩＤデータを、複数のＩＤデータ記録用の吸着性領域７に記録し、生化学解析用ユニット１と化学発光基質を接触させて、生化学解析用ユニット１の多数の吸着性領域４から放出される化学発光を光電的に検出して、生化学解析用データを生成する際に、複数のＩＤデータ記録用の吸着性領域７から放出される化学発光を光電的に検出して、生化学解析用ユニット１に、どのような特異的結合物質を含む溶液が、どのようなパターンで、滴下されたかに関するＩＤデータを生成することもでき、同じ濃度の化学発光基質と接触させることによって化学発光を生じさせる標識物質を含む溶液を、生化学解析用ユニット１の基板２に形成された複数のＩＤデータ記録用の吸着性領域７の一部に滴下し、化学発光基質と接触させることによって化学発光を生じさせる標識物質が吸着されているＩＤデータ記録用の吸着性領域７と、標識物質が吸着されていないＩＤデータ記録用の吸着性領域７とのパターンによって、生化学解析用ユニット１に、どのような特異的結合物質を含む溶液が、どのようなパターンで、滴下されたかに関するＩＤデータを記録することもできる。
【０３１９】
さらに、前記実施態様においては、基板２に形成された多数の貫通孔３および複数の貫通孔６内に、ナイロン６を充填して、形成された多数の吸着性領域４および複数のＩＤデータ記録用の吸着性領域７を備えた生化学解析用ユニット１が用いられているが、基板２に形成された多数の貫通孔３および複数の貫通孔６内に、ナイロン６を充填して、形成された多数の吸着性領域４および複数のＩＤデータ記録用の吸着性領域７を備えた生化学解析用ユニット１を用いることは必ずしも必要でなく、基板２に形成された多数の貫通孔３および複数の貫通孔６内に、ナイロン６などの吸着性材料を含む吸着性膜を圧入して、多数の吸着性領域４および複数のＩＤデータ記録用の吸着性領域７が形成された生化学解析用ユニット１を用いることもできる。
【０３２０】
また、前記実施態様においては、基板２に形成された多数の貫通孔３および複数の貫通孔６内に、ナイロン６を充填して、形成された多数の吸着性領域４および複数のＩＤデータ記録用の吸着性領域７を備えた生化学解析用ユニット１が用いられているが、基板２に形成された多数の貫通孔３および複数の貫通孔６内に、ナイロン６を充填して、形成された多数の吸着性領域４および複数のＩＤデータ記録用の吸着性領域７を備えた生化学解析用ユニット１を用いることは必ずしも必要でなく、吸着性材料によって、形成された吸着性基板を、生化学解析用ユニット１として用いることもできる。
【０３２１】
さらに、前記実施態様においては、支持体５１に形成された多数の貫通孔５３および複数の貫通孔５６内に、輝尽性蛍光体を充填して、形成された多数の輝尽性蛍光体層領域５２および複数のＩＤデータ記録用の輝尽性蛍光体層領域５７を備えた蓄積性蛍光体シート５０が用いられているが、支持体５１に形成された多数の貫通孔５３および複数の貫通孔５６内に、輝尽性蛍光体を充填して、形成された多数の輝尽性蛍光体層領域５２および複数のＩＤデータ記録用の輝尽性蛍光体層領域５７を備えた蓄積性蛍光体シート５０を用いることは必ずしも必要でなく、支持体５１に形成された多数の貫通孔５３および複数の貫通孔５６内に、輝尽性蛍光体を含む輝尽性蛍光体膜を圧入して、多数の輝尽性蛍光体層領域５２および複数のＩＤデータ記録用の輝尽性蛍光体層領域５７が形成された蓄積性蛍光体シートを用いることもできる。
【０３２２】
また、前記実施態様においては、支持体５１に形成された多数の貫通孔５３および複数の貫通孔５６内に、輝尽性蛍光体を充填して、形成された多数の輝尽性蛍光体層領域５２および複数のＩＤデータ記録用の輝尽性蛍光体層領域５７を備えた蓄積性蛍光体シート５０が用いられているが、支持体５１に形成された多数の貫通孔５３および複数の貫通孔５６内に、輝尽性蛍光体を充填して、形成された多数の輝尽性蛍光体層領域５２および複数のＩＤデータ記録用の輝尽性蛍光体層領域５７を備えた蓄積性蛍光体シート５０を用いることは必ずしも必要でなく、支持体上に、一様に、輝尽性蛍光体を含む輝尽性蛍光体層が形成された蓄積性蛍光体シートを用いることもできる。
【０３２３】
【発明の効果】
本発明によれば、生化学解析用ユニットに、どのような特異的結合物質を含む溶液が、どのようなパターンで、滴下されたかに関する所望のＩＤデータを、生化学解析用ユニットに確実に付与することができ、ＩＤデータと生成された生化学解析用データとを容易に照合することができる生化学解析用ユニットへのＩＤデータの付与方法を提供することが可能になる。
【図面の簡単な説明】
【図１】図１は、生化学解析用ユニットの略斜視図である。
【図２】図２は、スポッティング装置の略平面図である。
【図３】図３は、スポッティング装置の制御系、入力系、駆動系および検出系を示すブロックダイアグラムである。
【図４】図４は、ハイブリダイゼーション反応容器の略縦断面図である。
【図５】図５は、蓄積性蛍光体シートの略斜視図である。
【図６】図６は、蓄積性蛍光体シートに形成された多数の輝尽性蛍光体層領域に含まれた輝尽性蛍光体を、生化学解析用ユニットに形成された多数の吸着性領域に選択的に含まれている放射性標識物質によって、露光するとともに、蓄積性蛍光体シートに形成された複数のＩＤデータ記録用の輝尽性蛍光体層領域に含まれた輝尽性蛍光体を、生化学解析用ユニットに形成された複数のＩＤデータ記録用の吸着性領域に含まれている放射性標識物質によって、露光する露光装置の略斜視図である。
【図７】図７は、生化学解析用ユニットに形成された多数の吸着性領域に含まれた放射性標識物質によって、蓄積性蛍光体シートの支持体に形成された多数の輝尽性蛍光体層領域を露光する方法を示す略断面図である。
【図８】図８は、蓄積性蛍光体シートの支持体に形成された多数の輝尽性蛍光体層領域に記録された放射性標識物質の放射線データおよび生化学解析用ユニットの多数の吸着性領域に記録された蛍光データを読み取って、生化学解析用データを生成するスキャナの略斜視図である。
【図９】図９は、図８に示されたスキャナのフォトマルチプライア近傍の詳細を示す略斜視図である。
【図１０】図１０は、蓄積性蛍光体シートおよび生化学解析用ユニットがセットされるスキャナのサンプルステージの略斜視図である。
【図１１】図１１は、図９のＡ−Ａ線に沿った略断面図である。
【図１２】図１２は、図９のＢ−Ｂ線に沿った略断面図である。
【図１３】図１３は、図９のＣ−Ｃ線に沿った略断面図である。
【図１４】図１４は、図９のＤ−Ｄ線に沿った略断面図である。
【図１５】図１５は、光学ヘッドの走査機構の略平面図である。
【図１６】図１６は、スキャナの制御系、入力系、駆動系および検出系を示すブロックダイアグラムである。
【符号の説明】
１  生化学解析用ユニット
２  基板
３  貫通孔
４  吸着性領域
５  位置合わせ用貫通孔
６  貫通孔
７  ＩＤデータ記録用の吸着性領域
９  スポッティングヘッド
１０  基板
１１  フレーム
１２  副走査パルスモータ
１３  レール
１４  移動可能な基板
１５  ロッド
１６  主走査パルスモータ
１７  エンドレスベルト
１８  リニアエンコーダ
１９  リニアエンコーダのスリット
２０ａ、２０ｂ  位置決めピン
３０  コントロールユニット
３１  キーボード
４０  ハイブリダイゼーション反応容器
４１  ハイブリダイゼーション反応溶液
５０  蓄積性蛍光体シート
５１  支持体
５２  輝尽性蛍光体層領域
５３  貫通孔
５５  位置合わせ用貫通孔
５６  貫通孔
５７  ＩＤデータ記録用の輝尽性蛍光体層領域
６０  ケーシング
６１  蓋部材
６２  基板
６３  位置合わせ用ピン
８１  第１のレーザ励起光源
８２  第２のレーザ励起光源
８３  第３のレーザ励起光源
８４  レーザ光
８５  コリメータレンズ
８６  ミラー
８７  第１のダイクロイックミラー
８８  第２のダイクロイックミラー
８９  ミラー
９０  コリメータレンズ
９１  コリメータレンズ
９２  ミラー
９３  穴開きミラーの穴
９４  穴開きミラー
９５  光学ヘッド
９６  ミラー
９７  非球面レンズ
９８  凹面ミラー
１００  ステージ
１０１  ガラス板
１０２  位置合わせ用ピン
１０５  蛍光あるいは輝尽光
１０８  フィルタユニット
１１０  フォトマルチプライア
１１１ａ、１１１ｂ、１１１ｃ、１１１ｄ  フィルタ部材
１１２ａ、１１２ｂ、１１２ｃ、１１２ｄ  フィルタ
１１３  Ａ／Ｄ変換器
１１４  データ処理装置
１２０  基板
１２１  副走査パルスモータ
１２２  一対のレール
１２３  移動可能な基板
１２４  ロッド
１２５  主走査ステッピングモータ
１２６  エンドレスベルト
１２７  リニアエンコーダ
１２８  リニアエンコーダのスリット
１３０  コントロールユニット
１３１  キーボード
１３２  フィルタユニットモータ
【図１】
2004170132.tif 000003
【図２】
2004170132.tif 000004
【図３】
2004170132.tif 000005
【図４】
2004170132.tif 000006
【図５】
2004170132.tif 000007
【図６】
2004170132.tif 000008
【図７】
2004170132.tif 000009
【図８】
2004170132.tif 000010
【図９】
2004170132.tif 000011
【図１０】
2004170132.tif 000012
【図１１】
2004170132.tif 000013
【図１２】
2004170132.tif 000014
【図１３】
2004170132.tif 000015
【図１４】
2004170132.tif 000016
【図１５】
2004170132.tif 000017
【図１６】
2004170132.tif 000018